(57)【要約】 【課題】症例の原因となる対象箇所を特定する確度を向上させることが可能な情報処理装置、情報処理方法、プログラムおよび生体信号計測システムを提供する。【解決手段】本発明の情報処理装置は、表示制御部を備える。表示制御部は、１以上の生体信号の経時的変化を示す生体データのうち指定された箇所を含む一部の時間に対応する生体データを示す部分データを複数並列表示するとともに当該部分データ上に前記指定された箇所を強調表示する制御を行う。【選択図】図１８
2018153614.tif 000002
【特許請求の範囲】
【請求項１】
１以上の生体信号の経時的変化を示す生体データのうち指定された箇所を含む一部の時間に対応する生体データを示す部分データを複数並列表示するとともに当該部分データ上に前記指定された箇所を強調表示する制御を行う表示制御部を備える、
情報処理装置。
【請求項２】
前記表示制御部は、
第１の表示領域を対象に前記並列表示する制御と前記強調表示する制御とを行い、
第２の表示領域を対象に複数の前記部分データのそれぞれに対応する各信号源が重畳表示された生体画像を表示する制御を行う、
請求項１に記載の情報処理装置。
【請求項３】
前記表示制御部は、測定が行われた時間が早い方から遅い方に向けて前記部分データを並べて表示する、
請求項１または２に記載の情報処理装置。
【請求項４】
前記表示制御部は、
何れかの前記部分データが選択された場合、その選択された前記部分データに対応する信号源を含む前記生体画像を表示するとともに、該信号源を示す情報を該生体画像上に重畳して表示する、
請求項２に記載の情報処理装置。
【請求項５】
前記表示制御部は、
選択された前記部分データに対応する信号源を含む前記生体画像上に、選択されていない前記部分データに対応する信号源が存在する場合は、その信号源を示す情報も重畳して表示する、
請求項４に記載の情報処理装置。
【請求項６】
前記表示制御部は、選択された前記部分データに対応する信号源を、他の信号源とは異なる表示形態で前記生体画像上に重畳表示する、
請求項５に記載の情報処理装置。
【請求項７】
前記生体画像は、
第１方向の断面である第１断層画像と、前記第１方向と直交する第２方向の断面である第２断層画像と、前記第１方向および前記第２方向と直交する第３方向の断面である第３断層画像と、を含み、
前記表示制御部は、
前記第１断層画像、前記第２断層画像および前記第３断層画像のうちの何れかの断層方向の位置を変更するための入力を受け付けた場合、他の断層画像も連動した断層方向の断層画像に表示を切り替える制御を行う、
請求項２または請求項４乃至６のうちの何れか１項に記載の情報処理装置。
【請求項８】
前記表示制御部は、
推定済みの信号源ごとに推定時の信号処理条件を紐付けた紐付情報に基づいて、表示対象の前記部分データに対応する信号源に紐付く信号処理条件を呼び出し、呼び出した信号処理条件に従って、推定時の前記部分データの波形を再現して表示する、
請求項１乃至７のうちの何れか１項に記載の情報処理装置。
【請求項９】
前記表示制御部は、
所定の時間長ごとに区切られた複数の前記生体データにわたる１以上の前記部分データを並べて表示する制御を行う、
請求項１乃至８のうちの何れか１項に記載の情報処理装置。
【請求項１０】
前記表示制御部は、
前記１以上の生体信号のうち、前記指定された箇所と前記強調表示される生体信号のみを表示する制御を行う、
請求項１乃至９のうちの何れか１項に記載の情報処理装置。
【請求項１１】
前記１以上の生体信号は、複数の測定方法で取得された生体信号であって、
前記表示制御部は、複数の測定方法で取得された前記各生体信号を少なくとも１以上表示する制御を行う、
請求項１乃至１０のうちの何れか１項に記載の情報処理装置。
【請求項１２】
前記強調表示は、生体データを示す波形の測定時間方向に対して交差する方向に延設するラインである、
請求項１乃至９のうちの何れか１項に記載の情報処理装置。
【請求項１３】
１以上の生体信号の経時的変化を示す生体データのうち指定された箇所を含む一部の時間に対応する生体データを示す部分データを複数並列表示するとともに当該部分データ上に前記指定された箇所を強調表示する制御を行う表示制御ステップを含む、
情報処理方法。
【請求項１４】
コンピュータに、
１以上の生体信号の経時的変化を示す生体データのうち指定された箇所を含む一部の時間に対応する生体データを示す部分データを複数並列表示するとともに当該部分データ上に前記指定された箇所を強調表示する制御を行う表示制御ステップを実行させるためのプログラム。
【請求項１５】
被検者の１以上の生体信号を測定する測定装置と、前記測定装置で測定された１以上の前記生体信号を記録するサーバと、前記サーバに記録された１以上の前記生体信号を解析する情報処理装置と、を備えた生体信号計測システムであって、
１以上の生体信号の経時的変化を示す生体データのうち指定された箇所を含む一部の時間に対応する生体データを示す部分データを複数並列表示するとともに当該部分データ上に前記指定された箇所を強調表示する制御を行う表示制御部を備える、
生体信号計測システム。
【発明の詳細な説明】
【技術分野】
【０００１】
本発明は、情報処理装置、情報処理方法、プログラムおよび生体信号計測システムに関する。
【背景技術】
【０００２】
従来、測定した被検者の生体信号に基づき生体内の信号源を推定し、断層画像上に重畳表示する技術が知られている（例えば特許文献１参照）。
【０００３】
この技術において、例えば脳の神経活動を測定する脳磁計や脳波計では、生体信号の波形の特有の波形箇所（特異点等）に基づき断層画像上に信号源を重畳表示させ、医師などが手術にて切除する位置（例えばてんかんの原因となっている箇所など）を特定する。
【発明の概要】
【発明が解決しようとする課題】
【０００４】
しかしながら、従来の装置では、生体信号の波形をそのまま表示するため、生体信号に含まれる複数の特異点等を操作者が１画面で見比べることができない。波形箇所によっては信号源の推定前に除外する必要もあるため、従来の装置では症例の原因となる対象箇所の特定が十分ではないという問題がある。
【０００５】
本発明は、上記に鑑みてなされたものであって、症例の原因となる対象箇所を特定する確度を向上させることが可能な情報処理装置、情報処理方法、プログラムおよび生体信号計測システムを提供することを目的とする。
【課題を解決するための手段】
【０００６】
上述した課題を解決し、目的を達成するために、本発明は、１以上の生体信号の経時的変化を示す生体データのうち指定された箇所を含む一部の時間に対応する生体データを示す部分データを複数並列表示するとともに当該部分データ上に前記指定された箇所を強調表示する制御を行う表示制御部を備える情報処理装置である。
【発明の効果】
【０００７】
本発明によれば、症例の原因となる対象箇所を特定する確度を向上させることができる。
【図面の簡単な説明】
【０００８】
【図１】図１は、第１の実施形態の生体信号計測システムの一例を示す概略図である。
【図２】図２は、情報処理装置のハードウェア構成の一例を示す図である。
【図３】図３は、情報処理装置の機能ブロックの一例を示す図である。
【図４】図４は、情報処理装置に表示される開始画面の一例を示す図である。
【図５】図５は、測定収録画面の一例を示す図である。
【図６】図６は、測定収録画面の左側の領域の拡大図である。
【図７】図７は、測定収録画面の右側の領域の拡大図である。
【図８】図８は、アノテーション情報が入力された直後の画面を示す図である。
【図９】図９は、更新されたアノテーションリストの図である。
【図１０】図１０は、測定収録時の情報処理装置の情報表示処理の一例を示すフローチャートである。
【図１１】図１１は、解析画面の一例を示す図である。
【図１２】図１２は、解析画面の左側の領域の拡大図である。
【図１３】図１３は、解析画面の右側の領域の拡大図である。
【図１４】図１４は、解析画面で特定のアノテーションラインが選択された直後の画面を示す図である。
【図１５】図１５は、図１４の画面の左側の領域の拡大図である。
【図１６】図１６は、図１４の画面の右側の領域の拡大図である。
【図１７】図１７は、解析時の情報処理装置の情報表示処理の一例を示すフローチャートである。
【図１８】図１８は、マージボタンが押下されたときに表示される画面の一例を示す図である。
【図１９】図１９は、表示ウィンドウ中の断層画像の一例を説明するための図である。
【図２０】図２０は、表示ウィンドウ中のスライス画像の表示の切り替わりを説明するための図である。
【図２１】図２１は、マージボタンが押下されたときに表示される画面の変形例を示す図である。
【図２２】図２２は、第２の実施形態において、マージボタンが押下されたときに表示される画面の一例を示す図である。
【図２３】図２３は、第３の実施形態の情報処理装置の測定収録時の動作の一例を示すフローチャートである。
【図２４】図２４は、第３の実施形態の情報処理装置の解析時の動作の一例を示すフローチャートである。
【図２５】図２５は、第３の実施形態における解析画面の一例の左側の領域を示す図である。
【図２６】図２６は、第３の実施形態における解析画面の変形例を示す図である。
【図２７】図２７は、第３の実施形態において、異なる範囲情報ごとの信号波形を区別するための表示方法を説明するための図である。
【図２８】図２８は、第３の実施形態において、複数の測定ファイルごとに解析ファイルを紐付けて管理することを表す模式図である。
【図２９】図２９は、第３の実施形態において同じ解析者の解析ファイルを抽出する場合の測定ファイルの対応関係の一例を示す図である。
【図３０】図３０は、第４の実施形態において、情報処理装置の測定収録時の情報表示処理の一例を示すフローチャートである。
【図３１】図３１は、第４の実施形態において、測定収録画面から呼び出す測定収録結果画面の一例を示す図である。
【図３２】図３２は、第４の実施形態の測定収録結果画面の変形例を示す図である。
【図３３】図３３は、第４の実施形態の測定収録結果画面の変形例を示す図である。
【図３４】図３４は、第４の実施形態の測定収録結果画面の変形例を示す図である。
【図３５】図３５は、第４の実施形態の測定収録結果画面の変形例を示す図である。
【図３６】図３６は、第４の実施形態の測定収録結果画面の変形例を示す図である。
【図３７】図３７は、第４の実施形態の変形例としてアノテーションの表示例を示す図である。
【図３８】図３８は、第４の実施形態の変形例として波形の表示例を示す図である。
【図３９】図３９は、第５の実施形態として測定収録結果画面から解析画面へ切り替わる動作の一例を示すフローチャートである。
【図４０】図４０は、第６の実施形態として生体画像の一例を説明する図である。
【発明を実施するための形態】
【０００９】
以下、添付図面を参照しながら、本発明に係る情報処理装置、情報処理方法、プログラムおよび生体信号計測システムの実施形態を詳細に説明する。
【００１０】
（第１の実施形態）
図１は、第１の実施形態の生体信号計測システムの一例を示す概略図である。生体信号計測システムは、被測定者（被検者）の複数種類の生体信号、たとえば脳磁（ＭＥＧ：Magneto-encephalography）信号と脳波（ＥＥＧ：Electro-encephalography）信号を計測し、表示する。測定対象となる生体信号は、脳磁信号および脳波信号に限られるものではなく、例えば心臓の活動に応じて発生する電気信号（心電図として表現可能な電気信号）であってもよい。図１に示すように、生体信号計測システム１は、被測定者の１以上の生体信号を測定する測定装置３と、測定装置３で測定された１以上の生体信号を記録するサーバ４０と、サーバ４０に記録された１以上の生体信号を解析する情報処理装置５０と、を含む。サーバ４０が有する機能の一部または全てが情報処理装置５０に組み込まれる形態であってもよい。
【００１１】
図１の例では、被測定者は、頭に脳波測定用の電極（またはセンサ）を付けた状態で測定テーブル４に仰向けで横たわり、測定装置３のデュワ３０の窪み３１に頭部を入れる。デュワ３０は、液体ヘリウムを用いた極低温環境の保持容器であり、デュワ３０の窪み３１の内側には脳磁測定用の多数の磁気センサが配置されている。測定装置３は、各測定方法で取得した信号、つまり電極からの脳波信号と、磁気センサからの脳磁信号とを収集し、収集した脳波信号および脳磁信号を含むデータ（以下の説明では「測定データ」と称する場合がある）をサーバ４０に出力する。サーバ４０に収録された測定データは、情報処理装置５０に読み出されて表示装置２８の表示画面に表示され、後述するアノテーションの付与や解析などが施される。一般的に、磁気センサを内蔵するデュワ３０と測定テーブル４は磁気シールドルーム内に配置されているが、図示の便宜上、磁気シールドルームを省略している。
【００１２】
なお、脳波信号および脳磁信号は「生体信号」の一例である。脳波信号は、神経細胞の電気的な活動（シナプス伝達の際にニューロンの樹状突起で起きるイオン電荷の流れ）を電極間の電圧値として表すものである。脳磁信号は、脳の電気活動により生じた微小な磁場変動を表すものである。脳磁場は高感度の超伝導量子干渉計（ＳＱＵＩＤ）センサで検知される。
【００１３】
情報処理装置５０は、上記測定データが示す、複数の磁気センサからの脳磁信号の波形と、複数の電極からの脳波信号の波形とを、同じ時間軸上に同期させて表示する。ここに示す脳波信号の信号波形のデータや脳磁信号の信号波形のデータは、生体信号の経時的変化を示す「生体データ」の一例である。
【００１４】
図２は、情報処理装置５０のハードウェア構成の一例を示す図である。情報処理装置５０は、ＣＰＵ（Central  Processing  Unit：プロセッサ）２１、ＲＡＭ（Random  Access  Memory）２２、ＲＯＭ（Read  Only  Memory）２３、補助記憶装置２４、および入出力インタフェース２５を有し、これらがバス２７で相互に接続されている。
【００１５】
ＣＰＵ２１は、情報処理装置５０の全体の動作を制御し、各種の情報処理を行う。例えば、ＣＰＵ２１は、ＲＯＭ２３または補助記憶装置２４に格納された制御プログラムをＲＡＭ２２上に展開して実行し、例えば後述する測定収録画面と解析画面の表示制御処理を行う。ＲＡＭ２２は、ＣＰＵ２１のワークエリアとして用いられる。なお、ＲＡＭ２２として、主要な制御パラメータや情報を記憶する不揮発性ＲＡＭの一部の領域を用いてもよい。ＲＯＭ２３は、基本入出力プログラム等を記憶する。補助記憶装置２４は、ＳＳＤ（Solid  State  Drive）、ＨＤＤ（Hard  Disk  Drive）などの記憶装置であり、たとえば、情報処理装置５０の動作を制御する制御プログラムや、情報処理装置５０の動作に必要な各種のデータ、ファイル等を格納する。なお、上記制御プログラムは、ＲＯＭ２３に保存されていてもよい。
【００１６】
入出力インタフェース２５は、周辺装置（例えばタッチパネル、キーボード、マウス、表示装置２８、操作ボタン、プリンタ等）のそれぞれのユーザインタフェースと、サーバ４０と通信してセンサや電極からの情報を送受信する通信インタフェースとを有する。タッチパネルや、キーボードや、マウスや、操作ボタンは、入力デバイスであり、入力された信号（操作信号）を、入出力インタフェース２５を介してＣＰＵ２１へ通知する。本実施形態では、主にマウスを例に説明する。表示装置２８は、各種の情報を表示する表示デバイス（ディスプレイ）であり、入力デバイスからの操作信号などに基づいてＣＰＵ２１が処理した表示情報（上記測定収録画面や上記解析画面なども含む）を、入出力インタフェース２５を介して受信して画面表示する。プリンタは、ＣＰＵ２１からの指示に基づいて入出力インタフェース２５から出力された印刷データを紙などの記録媒体に記録する。
【００１７】
図３は、情報処理装置５０の機能ブロックの一例を示す図である。情報処理装置５０は、制御部２５０、解析部２５２、センサ情報取得部２５３、収録／解析情報保存部２５４、操作情報入力部２５５、および印刷データ出力部２５６を有する。制御部２５０は、情報処理装置５０の画面表示を制御する表示制御部２５１を含む。
【００１８】
センサ情報取得部２５３は、サーバ４０から、センサ情報を取得する。センサ情報は、測定装置３を用いた測定収録時には測定データを指し、情報処理装置５０における解析時には、測定データと、各信号波形に付加されているアノテーションについての情報とを指す。なお、アノテーションについて詳しくは後述する。操作情報入力部２５５は、入力デバイスの操作に従いアノテーションや操作信号を入力する。解析部２５２は、信号波形の解析や、振幅の特異点の解析や、電流ダイポールの向きを含む脳磁場の解析などを行う。後述する「信号源の推定」は、これらの解析において行われる。収録／解析情報保存部２５４は、センサ情報や解析結果を指定先に保存する。測定収録時においてアノテーションが付加された場合は、アノテーションも保存する。この例では、指定先をサーバ４０とするが、補助記憶装置２４などにしてもよい。なお、指定先を補助記憶装置２４とする場合は、センサ情報取得部２５３を、サーバ４０を介さずに測定装置３から生体信号を直接入力するように変形してもよい。印刷データ出力部２５６は、印刷データをプリンタに出力する。なお、周辺装置であるプリンタへの出力は一例で、画面表示データや印刷データなどをネットワーク経由等で他の端末に出力し、他端末で表示や印刷などを行ってもよい。
【００１９】
制御部２５０は、各機能部との間で情報を入出力し、それに基づく処理結果に応じて表示装置２８の画面表示を制御する。具体的には、表示制御部２５１が、入出力インタフェース２５を介して表示装置２８の画面表示を制御する。本実施形態において、制御部２５０は、主にセンサ情報の測定収録時および解析時における画面表示を制御する。
【００２０】
制御部２５０および解析部２５２は、図２のＣＰＵ２１がＲＯＭ２３等に格納された制御プログラムをＲＡＭ２２上に展開して実行することによって実現される。なお、これに限らず、例えば制御部２５０および解析部２５２のうちの少なくとも一部が専用のハードウェア回路（半導体集積回路等）で実現される形態であってもよい。センサ情報取得部２５３、操作情報入力部２５５、印刷データ出力部２５６は、この例では主に入出力インタフェース２５において実現される。収録／解析情報保存部２５４の機能は、この例では主に補助記憶装置２４や入出力インタフェース２５において実現される。
【００２１】
以下、図面を用いて測定収録画面および解析画面の表示態様を説明することにより、制御部２５０（主に表示制御部２５１）が行う表示画面の制御について説明する。なお、以下の「表示される」や「表示されている」という記載において、表示を行う主体は表示制御部２５１であるものとする。また、「選択」、「押下」、「入力」などの操作情報は、操作情報入力部２５５から受け付けているものとする。
【００２２】
図４は、情報処理装置５０に表示される開始画面２０４の一例を示す図である。開始画面２０４には、「測定収録」と「解析」の選択ボタンが表示される。脳波測定や脳磁測定の場合、データの測定収録とデータの解析は、別々の主体によって行われる場合が多い。例えば、測定技師（測定者）によって「測定収録」ボタン２０４−１が選択されると、測定装置３で測定されたデータは順次サーバ４０に保存され、情報処理装置５０に読み出されて表示される。測定収録の終了後、医師によって「解析」ボタン２０４−２が選択されると、測定収録により収録されたデータが読み出され解析される。
【００２３】
＜測定収録時の動作＞
図５は、測定収録画面の一例を示す図である。図５に示す測定収録画面（または簡略して「画面」とも呼ぶ）２０１は、画面２０１のタブ１１１に「測定収録」画面であることが表示されている。測定収録画面２０１は、生体信号の信号波形を表示する領域２０１Ａと、信号波形以外のモニタ情報を表示する領域２０１Ｂとを有する。信号波形を表示する領域２０１Ａは、測定者からみて画面２０１の左側に配置され、信号波形以外のモニタ情報を表示する領域２０１Ｂは、測定者からみて画面２０１の右側に配置されている。リアルタイムで検出され画面２０１において水平に左端から右方向（方向ｕ１）に向かって表示される波形の動きに合わせた測定者の視線の動きと、画面２０１の左側の領域２０１Ａから右側の領域２０１Ｂへマウスを移動させるときの動きに無駄が生じず、作業効率が向上する。ここで言う「水平」とは、画面２０１において方向ｕ１に平行する任意の線を指すものとし、以下においても同様とする。また、本明細書では画面全体の図を参照する場合に「左」、「右」、「上」、「下」を説明に適宜用いるが、「左」、「右」、「上」、「下」は、それぞれ、画面全体の図に添えた方向ｕ１を水平にして見た場合の「左」、「右」、「上」、「下」を指すものとする。
【００２４】
領域２０１Ｂには、測定中に被測定者の様子を確認するためのモニタウィンドウ１７０を表示させる。測定中の被測定者のライブ映像を表示させることで、後述するように、信号波形のチェック、判断の信頼性を高めることができる。図５では、ひとつの表示装置２８（図１参照）の表示画面に、測定収録画面２０１の全体を表示させた場合の表示形態を示しているが、領域２０１Ａと領域２０１Ｂとを、２台もしくはそれ以上の表示装置に分けて別々に表示させてもよい。
【００２５】
図６は、図５に示す領域２０１Ａの拡大図である。領域２０１Ａは、信号検出の時間情報を表示する表示領域１１０と、信号検出に基づく複数の信号波形を並列に表示する表示領域１０１〜１０３とを有する。
【００２６】
表示領域１１０で表示される時間情報は、図６の例では、時間軸１１２に沿って時間（数字）が付された時間表示を含むタイムラインであるが、時間（数字）を表示せずに、帯状の軸だけでもよいし、軸を設けずに時間（数字）の表示だけであってもよい。また、表示領域１１０の他に、図６に示すように表示領域１０３の下側に同様の時間軸１１２を表示してもよい。
【００２７】
表示領域１０１〜１０３には、複数の信号波形が水平に並列表示される。各信号波形として、同一のセンサ群からの信号波形だけを表示させてもよいし、異なるセンサ群からの信号波形を共に表示させてもよい。また、電極群からの信号波形を単独でまたは他の信号波形と共に表示させてもよい。これらの内の１種類以上の信号波形を表示する。ここで、同一のセンサ群は、例えば測定部位などにより分けることができる。この例では、被測定者の頭部右側に対応する磁気センサ群から得られる脳磁信号の波形と、被測定者の頭部左側に対応する磁気センサ群から得られる脳磁信号の波形と、被測定者の脳波測定用の電極から得られる脳波信号の波形とに分けられている。なお、「複数の信号波形」の組み合わせは、これに限られるものではない。例えば、頭頂部、前頭葉、側頭葉などのパートを任意に選択し、それぞれのパートのセンサから得た信号波形を選択的に表示させてもよい。信号波形を選択する方法についての詳しい説明は後述する。
【００２８】
図６において、表示領域１０１には被測定者の頭部右側から得られる複数の脳磁信号の波形が、表示領域１０２には被測定者の頭部左側から得られる複数の脳磁信号の波形が、表示領域１０３には複数の脳波信号の波形が、それぞれ水平に並列に表示されている。各信号波形は、同じ時間軸で同期して表示される。これらの複数の信号波形の各々は、その信号が取得されたチャネル番号１０７、具体的には電極の識別情報（例えば基準電極および探査電極の識別情報）やセンサの識別番号が対応付けられて表示されている。本実施形態では、電極の識別情報とチャネル番号、センサの識別情報とチャネル番号とが、それぞれ１対１で対応しているものとし、電極の識別情報、センサの識別情報、およびチャネル番号を、適宜説明に用いる。なお、これに限らず、電極の複数やセンサの複数を一塊にチャネル番号に対応付けるようにしてもよい。
【００２９】
測定が開始されると、各センサおよび各電極からの測定情報が収集され、各表示領域１０１〜１０３において水平に、左端から右方向（方向ｕ１）に向けて測定時刻の順に信号波形が表示される。ライン１１３は計測が行われている現在時刻を示しており、領域２０１Ａの左端から右方向に向けて移動する。領域２０１Ａの右端（時間軸１１２の右端）まで信号波形が表示されると、その後は領域２０１Ａの左端から右方向に向けて徐々に信号波形が消え、消えた位置に新しい信号波形が順次左端から右方向に表示され且つライン１１３も左端から右に向けて移動していく。これとともに、時間軸１１２上の時間の表示も、新しい信号波形の経過時間の範囲に合わせて更新される。測定収録は、「Ｅｘｉｔ  Ｍｅａｓｕｒｅｍｅｎｔ」ボタン１７９が押されるまで継続される。
【００３０】
実施形態の特徴として、測定者（収録者）がデータ収録中に信号波形上で波形の乱れや振幅の特異点等に気付いたときに、その箇所（注目すべき箇所）を信号波形上でマークすることができる。マークの位置や範囲は、マウスによるポインタ操作あるいはクリック操作などで指定することができる。注目すべき箇所は、表示領域１０１〜１０３の信号波形上にマークが表示され、その指定結果が、表示領域１１０の時間軸１１２に沿った位置（対応時刻位置）に表示されることにより強調表示される。時間軸１１２に沿った表示を含むマーキングの情報は、信号波形データ（生体データ）とともに指定先に保存される。ここで、「注目すべき箇所」は或る点の信号波形に限らず或る範囲の信号波形を含む概念として用いており、以下においても同様のものとする。
【００３１】
図６には、一例として、時刻ｔ１において表示領域１０３で１以上のチャネルで乱れた波形（注目すべき箇所）を含む範囲が指定された場合の表示状態を示している。図６に示すように注目すべき箇所がマーク１０３ａ−１で強調表示される。また、表示領域１１０において、マーク１０３ａ−１に対応する時刻位置に、指定結果を示すアノテーション１１０ａ−１が表示されることにより、強調表示される。強調表示は、マーク１０３ａ−１内のハイライト表示であってもよいし、マーク１０３ａ−１の近傍にアノテーションを表示するものであってもよい。また、図６では、時刻ｔ２でも波形が乱れているため、その注目すべき箇所についてもマーク１０３ａ−２と指定結果を示すアノテーション１１０ａ−２とを示している。
【００３２】
なお、マーク１０３ａ−１およびマーク１０３ａ−２は、円形のものを示しているが矩形など、他の形状であってもよい。例えば円形の場合、マーク１０３ａ−１は、マーク１０３ａ−１の半径を指定し、マーク１０３ａ−１の中心点を配置する１点をクリック操作で指定するなどして設ける。マーク１０３ａ−１の半径は、所定の値を予め設定しておいてもよいし、測定者が注目すべき箇所を指定する際に任意の値に設定してもよい。マーク１０３ａ−２についても同様とする。
【００３３】
なお、アノテーションとは、あるデータに対して関連する情報を注釈として付与することを指す。本実施形態において特に対象を特定せずに「アノテーション」といった場合には、注目すべき箇所を強調表示するマークやアイコンなどを指すものとする。例えば、図６においてはマーク１０３ａ−１、マーク１０３ａ−２、アノテーション１１０ａ−１、アノテーション１１０ａ−２などが「アノテーション」に相当する。以下においても強調表示するものであれば、特に説明することなく、それも「アノテーション」の１つとして含めて説明する。
【００３４】
時刻ｔ１で表示領域１１０に追加されたアノテーション１１０ａ−１は、一例として、アノテーション識別番号と、波形の属性を示す情報とを含む。この例では、アノテーション番号「１」とともに、波形の属性を表わすアイコンと「strong  spike」（ストロングスパイク）というテキスト情報とが表示されている。
【００３５】
時刻ｔ２で、測定者が別の波形箇所またはその近傍領域を指定すると、指定された箇所、ここではマーク１０３ａ−２で強調表示され、これとともに、表示領域１１０の対応する時刻位置に、アノテーション番号「２」が表示される。さらに、強調表示された箇所に、属性選択のためのポップアップウィンドウ１１５が表示される。ポップアップウィンドウ１１５は、種々の属性を選択する選択ボタン１１５ａと、コメントや追加情報を入力する入力ボックス１１５ｂとを有する。選択ボタン１１５ａには、波形の属性として「速波（fast  activity）」、「眼球運動（eye  motion）」、「体動（body  motion）」、「スパイク（spike）」など、波形乱れの要因が示されている。測定者は、画面２０１（図５参照）の領域２０１Ｂのモニタウィンドウ１７０で被測定者の様子を確認することができるので、波形の乱れの原因を示す属性を適切に選択することができる。たとえば、波形にスパイクが生じたときに、てんかんの症状を示すスパイクなのか、被測定者の体動（くしゃみ等）に起因するスパイクなのかを判断することができる。
【００３６】
また、モニタウィンドウ１７０で確認する方法の他に、被測定者が動いたことを検知するセンサを設け、検知した期間に表示領域１１０に対して図６に示すような警告表示８００を表示させてもよい。たとえば、被測定者の頭が動いたとき、その移動量が許容量を超えたら警告表示８００を表示する。警告表示８００には、波形データ（生体データ）として使えないセンサ番号を表示させる。これにより、測定者が、てんかんの症状を示すスパイクなのか、被測定者の体動（くしゃみ等）に起因するスパイクなのかを判断することができる。警告表示８００は、「体動（body  motion）」の種類別または「眼球運動（eye  motion）」と「体動（body  motion）」とで色を分けて表示してもよい。
【００３７】
また、警告表示８００での表示のほかに、被測定者が動いたことを検知するセンサからの出力などに基づいてポップアップウィンドウ１１５内の波形の属性を自動入力させてもよい。
【００３８】
時刻ｔ１でも同じ操作が行われており、図６では、ポップアップウィンドウ１１５で「スパイク」の選択ボタン１１５ａが選択され、入力ボックス１１５ｂに「strong  spike」と入力されたことにより表示領域１１０にアノテーション１１０ａ−１が表示されている。このような表示態様により、多数の信号波形を同期して表示する際に、信号波形の注目すべき箇所を同じ時間軸１１２上で視認により容易に特定することができ、かつ注目すべき箇所の基本情報を容易に把握することができる。
【００３９】
アノテーション１１０ａ−１の一部または全部、たとえば、属性アイコンとテキストアノテーションの少なくとも一方を、表示領域１０３の信号波形上のマーク１０３ａ−１の近傍にも表示してもよい。信号波形上へのアノテーションの追加は、波形形状のチェックの妨げになる場合もあり得るので、表示領域１０１〜１０３の信号波形上にアノテーションを表示させる場合は、表示・非表示を選択可能にしておくことが望ましい。
【００４０】
カウンタボックス１１８は、スパイクアノテーションの累積数を表示する。「スパイク」が選択される都度、カウンタボックス１１８のカウンタ値がインクリメントされ、収録開始から現在（ライン１１３）までのトータルのスパイク数が一目でわかるようになっている。
【００４１】
図７は、図５に示す領域２０１Ｂの拡大図であり、図６と同じ時刻（ライン１１３の時点）での状態を示す。領域２０１Ｂのモニタウィンドウ１７０では、頭部を測定装置３に入れて測定テーブル４に横たわっている被測定者の状態のライブ映像が表示されている。
【００４２】
この他に、領域２０１Ｂでは、表示領域１０１、１０２、１０３（図６参照）の信号波形の各々に対応する分布図１４１、１４２、１３０（これについては後述する）や、アノテーションリスト１８０などが表示される。アノテーションリスト１８０は、図６の信号波形上でのマークにより付されたアノテーションの一覧である。表示領域１０１〜１０３で信号波形上の注目すべき箇所が指定されアノテーションが付される都度、対応する情報がアノテーションリスト１８０に順次追加される。アノテーションリスト１８０への情報の追加と表示は、たとえば降順（新しいデータを上に表示）で行われるが、この例に限定されない。当該情報の表示を昇順にしてもかまわないが、表示領域１１０（図６参照）で時間軸１１２に沿って表示されるアノテーションとの対応関係がわかるように表示する。さらに、表示順序を変更させたり、項目ごとにソートさせたりすることも可能である。
【００４３】
図７の例では、アノテーション番号「１」に対応する時刻情報と、付加されたアノテーションの情報とがリストされている。アノテーションの情報として、「スパイク」を表わす属性アイコンと、「strong  spike」というテキストが記録されている。また、マーク１０３ａ−２が強調表示された時点で、アノテーション番号「２」に対応する時刻情報がリストされている。アノテーションリスト１８０には、アノテーション番号と、時刻情報と、アノテーションの情報とを組で表示してもよいし、アノテーションの情報のみを表示してもよいし、アノテーションの情報とアノテーション番号の組またはアノテーションの情報と時刻情報の組で表示してもよい。
【００４４】
また、アノテーションリスト１８０の近傍に、表示／非表示の選択ボックス１８０ａが配置されている。選択ボックス１８０ａで非表示が選択されると、表示領域１０１〜１０３で、信号波形上の強調表示のためのマーク以外のアノテーションが非表示にされるが、表示領域１１０の時間軸１１２に沿ったアノテーションの表示は維持される。これにより、信号波形の視認性を阻害せずにアノテーションの情報を認識可能にする。
【００４５】
図８は、時刻ｔ２について、ポップアップウィンドウ１１５で「スパイク」が選択され、「normal  spike」（ノーマルスパイク）というテキストが入力された直後の画面２０１の左側の領域２０１Ａの表示状態を示す図である。図６で例示したポップアップウィンドウ１１５で「ＯＫ」ボタンが選択されると、ポップアップウィンドウ１１５が閉じて、図８に示すように表示領域１１０の対応する時刻位置にアノテーション１１０ａ−２が表示される。この例では、アノテーション番号「２」に対応付けて、「スパイク」を表わす属性アイコンと、「normal  spike」のテキスト情報とが表示されている。また、これと同時に、カウンタボックス１１８の値がインクリメントされる。
【００４６】
また、強調表示されたマーク１０３ａ−２の近傍に、属性アイコン１０６−２が表示される。この例では、マーク１０３ａ−１の近傍に属性アイコン１０６−１を表示させたものを示しているが、上述したように、属性アイコン１０６−１、１０６−２の表示、非表示は選択可能である。なお、ここでは、マーク１０３ａ−１とマーク１０３ａ−２とにおいて、時間軸１１２と交差するラインとして、時間軸１１２上の対応する時刻に直交するライン１１７−１、１１７−２を表示している。各ライン１１７−１、１１７−２は、強調表示の一例である。
【００４７】
図９は、アノテーションリスト１８０を示す図である。図８に示す領域２０１Ａでマーク１０３ａ−２に対応するアノテーションが付加されたことにより、アノテーションリスト１８０が更新される。アノテーション番号「２」に「normal  spike」というメモが追加される。
【００４８】
以下同様に、測定中に領域２０１Ａで信号波形上の注目すべき箇所が指定される都度、指定箇所が強調表示されるとともに、表示領域１１０の時間軸１１２に沿ってアノテーションが表示される。領域２０１Ｂでは、アノテーションリスト１８０にアノテーションの情報が順次追加される。
【００４９】
アノテーションリスト１８０および信号波形表示の領域２０１Ａにおいて、アノテーション番号の表示は必須ではなく、用いなくてもよい。付加されたアノテーションを識別できる情報であれば、上記番号の代わりに任意の情報を識別情報として用いることができる。たとえば、属性アイコンと属性文字列（「strong  spike」等）とを、時間軸１１２の近傍に時刻と対応付けて表示してもよい。さらに、領域２０１Ａにファイル番号を併記して表示してもよい。
【００５０】
「Ｅｘｉｔ  Ｍｅａｓｕｒｅｍｅｎｔ」ボタン１７９が選択（押下）され測定が終了すると、表示領域１０１〜１０３で指定された箇所は信号波形（生体データ）に対応付けて指定先に保存される。表示領域１１０の当該指定箇所に対応する時刻位置に表示されたアノテーションも、アノテーション番号と時刻に対応付けて保存される。カウンタボックス１１８のカウンタ値、アノテーションリスト１８０の内容等の関連情報も保存される。これらの表示情報を保存することで、測定者と解析者が異なる場合でも、解析者は容易に注目すべき箇所を認識し、解析することができる。
【００５１】
図１０は、情報処理装置５０で行われる測定収録段階での情報表示処理の一例を示すフローチャートである。図４に示す開始画面２０４で「測定収録」ボタン２０４−１が選択されると（ステップＳ１１）、測定が開始され、測定収録画面２０１（図５参照）の領域２０１Ａに複数の信号の波形が同じ時間軸に沿って同期して表示される（ステップＳ１２）。
【００５２】
情報処理装置５０は、表示されている信号波形上で注目すべき箇所（「注目箇所」ともいう）が指定されたか否かを判断する（ステップＳ１３）。注目箇所の指定があると（ステップＳ１３でＹＥＳ）、信号波形の表示領域（表示領域１０１〜１０３）に指定箇所を強調表示するとともに、時間軸領域（表示領域１１０）の対応する時刻位置に指定結果を表示する（ステップＳ１４）。指定結果には、指定がなされたこと自体を示す情報、または指定の識別情報が含まれる。時間軸領域への指定結果の表示と同時に、あるいは前後して、アノテーションの入力要求の有無を判断する（ステップＳ１５）。アノテーション入力の要求がある場合は（ステップＳ１５でＹＥＳ）、入力されたアノテーションを時間軸領域の対応する時刻位置に表示するとともに、そのアノテーションに対応する情報をアノテーションリストに追加する（ステップＳ１６）。その後、測定終了コマンドが入力（「Ｅｘｉｔ  Ｍｅａｓｕｒｅｍｅｎｔ」ボタン１７９を押下）されたか否かを判断する（ステップＳ１７）。注目箇所の指定がない場合（ステップＳ１３でＮＯ）、およびアノテーションの入力要求がない場合（ステップＳ１５でＮＯ）は、ステップＳ１７へ飛んで測定終了の判断を行う。測定が終了でないと判断した場合（ステップＳ１７でＮＯ）、ステップＳ１３〜ステップＳ１６を繰り返す。測定終了と判断した場合（ステップＳ１７でＹＥＳ）、本測定処理を終了する。
【００５３】
この情報表示方法により、複数のセンサからの信号を収集する際に、信号情報の視認性の高い測定収録画面が提供される。
【００５４】
＜解析時の動作＞
図１１は、解析時の情報処理装置５０の画面の一例を示す。図１１に示す解析画面（または簡略して「画面」とも呼ぶ）２０２は、図４の開始画面２０４で「解析」ボタン２０４−２を選択することで表示させる。画面２０２のタブ１１１に「解析」画面であることが表示されている。
【００５５】
本実施形態の情報処理装置５０は、この解析画面２０２を表示装置２８（図１参照）に表示する制御を行う機能を有している。図１１の例では、解析画面２０２は、収録された３つの生体信号の経時的変化を示す波形（生体データに相当）をアノテーションとともに表示する領域２０２Ａと、解析情報を表示する領域２０２Ｂとを有する。収録された生体信号の波形とアノテーションとを表示する領域２０２Ａは、測定者からみて画面２０２の左側に配置され、解析表示する領域２０２Ｂは、測定者からみて画面２０２の右側に配置されている。これは、解析の際に、領域２０２Ａで信号波形の注目箇所を選択しながら領域２０２Ｂで解析結果を確認または確定させる際のマウス等による操作性や視線移動の効率が良いからである。
【００５６】
本例では、領域２０２Ａに、測定収録画面２０１の領域２０１Ａ（図８参照）のレイアウトと同様の配置で信号波形とアノテーションとを表示する。具体的には、表示領域１０３に、脳波信号の波形とアノテーションとを表示し、表示領域１０１，１０２に、それぞれ脳磁信号の波形を表示する。領域２０２Ｂには、領域２０２Ａに表示する複数の信号波形の解析のためのコントローラや画像などを表示する。
【００５７】
ここでは、表示領域１０１、表示領域１０２、表示領域１０３のそれぞれの対応位置（右隣）に、測定収録画面２０１の領域２０１Ｂ（図７参照）において示すコントローラとして機能する脳磁分布図１４１、脳磁分布図１４２、脳波分布図１３０を設けている。解析者は脳磁分布図１４１のドットで示されるセンサを選択することにより、表示領域１０１に表示する脳磁信号を制限することができる。また、脳磁分布図１４２のドットで示されるセンサを選択することにより、表示領域１０２に表示する脳磁信号を制限することができる。また、脳波分布図１３０の電極を選択することにより、表示領域１０３に表示する脳波信号を制限することができる。このため、解析者は、視線移動が効率的になり、その結果、解析作業効率を向上させることが可能となる。
【００５８】
図１２は、図１１に示す左側の領域２０２Ａの拡大図である。領域２０２Ａは、測定時の時間情報を表示する表示領域１１０および表示領域１２０と、収録された信号波形（生体データ）を並列に表示する表示領域１０１〜１０３とを有する。
【００５９】
表示領域１１０には、収録時の時間の経過を示す時間軸１１２と、時間軸１１２に沿って付加されたアノテーションが表示される。ここでは、アノテーション番号７のアノテーション１１０ａ−７と、アノテーション番号８のアノテーション１１０ａ−８とが表示された状態を示している。表示領域１２０には収録時間の全体を示す時間軸１２２が表示される。時間軸１２２に沿って、アノテーションが付加された時刻位置を示すポインタマーク１２０ａが並べて表示される。また、時間軸１２２上に、表示領域１０１〜１０３に表示されている信号波形についての全体の収録時間中の時間帯を示すタイムゾーン１２０ｂが表示される。タイムゾーン１２０ｂは、図１２においては斜線部で表している。この表示により、解析者は、表示中（解析中）の信号波形が、測定収録時のどの段階で取得された信号波形なのかを直感的に把握することができる。
【００６０】
解析者は、解析画面２０２を開いた後に、たとえば、時間軸１２２上においてタイムゾーン１２０ｂをドラッグすることで所望の時間帯の信号波形を表示領域１０１〜１０３に表示させることができる。あるいは、後述する領域２０２Ｂにおいて、アノテーションリスト１８０の中から所望のアノテーションを選択することで、そのアノテーションを含む前後の信号波形を表示領域１０１〜１０３に表示させることができる。
【００６１】
図１２に示す表示領域１０１〜１０３には、収録された信号波形が水平に並列に並べて表示されている。また、表示領域１０１〜１０３には、収録時に指定された箇所が強調表示されている。具体的には、マーク１０３ａ−７およびマーク１０３ａ−８と、それぞれの近傍に設けた属性アイコン１０６−７および属性アイコン１０６−８とによって２つの指定箇所が強調表示されている。
【００６２】
更に、測定時間方向（方向ｕ１）に対して交差する方向（この例では直交する方向）に、マーク１０３ａ−７およびマーク１０３ａ−８と、それぞれに対応する時刻位置を示すアノテーション１１０ａ−７およびアノテーション１１０ａ−８とを、それぞれ繋ぐ縦のライン１１７−７およびライン１１７−８が延設されて表示されている。ライン１１７（図１２に示す例ではライン１１７−７やライン１１７−８に対応）が表示されることで、たとえば、表示領域１０３における指定箇所に関連する時間軸１１２上のアノテーションや、異なる信号表示エリアである表示領域１０２、１０１の信号波形などを容易に視認できる。また、ライン１１７−７やライン１１７−８を選択することで、選択した時刻の前後の一定時間を含めて、信号波形が拡大表示される。この処理については後述する。
【００６３】
図１３は、図１２と同じ時間帯を表す右側の領域２０２Ｂの拡大図である。右側の領域２０２Ｂには、表示領域１０１（図１２参照）に表示されている信号波形に対応する脳磁分布図１４１、表示領域１０２（図１２参照）に表示されている信号波形に対応する脳磁分布図１４２、および表示領域１０３（図１２参照）に表示されている信号波形に対応する脳波分布図１３０が表示されている。また、脳磁図（ＭＥＧ：Magnetoencephalograph）の等磁場図１５０と、脳波図（ＥＥＧ：Electroencephalograph）のマップエリア１６０と、ＭＲＩ（磁気共鳴画像：Magnetic  Resonance  Imaging）により別途検査で取得された被測定者の脳の断層画像の表示ウィンドウ１９０が表示されている。等磁場図１５０では、磁場の湧き出し領域と沈み込み領域が色分けされて表示され、電流の流れる方向が視覚的に把握される。等磁場図１５０とマップエリア１６０は測定完了後に得られる情報であり、ＭＲＩの断層画像は、別途検査で得られる情報である。
【００６４】
モニタウィンドウ１７０には、表示領域１０１〜１０３の信号波形が取得された時刻に同期して、測定時の被測定者の映像が表示される。解析者は、モニタウィンドウ１７０を見て被測定者の状態を確認しながら信号波形を解析することができる。
【００６５】
アノテーションリスト１８０は、測定収録で付加されたすべてのアノテーションがリストされている。アノテーションリスト１８０には、アノテーション番号１８１と対応付けて付加されたアノテーションの情報（属性アイコン、テキスト入力情報など）が含まれている。解析画面２０２のアノテーションリスト１８０は、たとえば、付加されたアノテーションの情報が昇順で（古いデータが上になるように）表示される。なお、表示の形態は一例であり、これに限定されない。例えば、測定収録画面２０１と同様にアノテーション番号の使用は必須ではなく、時刻、ファイル名、属性等の組み合わせでアノテーションを識別することも可能である。また、アノテーションリスト１８０に含まれるアノテーションの情報の表示順序の変更や、項目ごとのソートも可能である。所望のアノテーション番号１８１または行をクリックすることで、図１２の表示領域１０１〜１０３に、そのアノテーションが付加された時刻位置を含む所定の時間帯の信号波形を表示させることができる。
【００６６】
測定収録画面２０１（図５、図７、図９参照）のアノテーションリストと異なり、解析者がアノテーション一覧に含まれる各アノテーションの信号波形を表示により確認して最終的に信号源の推定の処理がなされると、推定されたアノテーションについてアノテーションリスト１８０に推定完了マーク１８２が表示される。
【００６７】
選択ボックス１８０ａでは、アノテーションの表示／非表示を選択する。選択ボックス１８０ａで非表示が指定されると、図１２の表示領域１０３の属性アイコン１０６−７、１０６−８が消える。選択ボックス１８０ａで、強調表示されたマーク１０３ａ−７、１０３ａ−８の非表示を選択できるように変形してもよい。
【００６８】
図１４は、図１２の解析画面２０２においてライン１１７−７が選択された直後の表示状態を示す図である。解析者がマーク１０３ａ−７の領域の波形を解析するためにライン１１７−７をダブルクリックするなどして選択すると、マーク１０３ａ−７を含む近傍領域の信号波形が拡大表示領域２００に拡大表示される。図１４に示す例では、領域１１４の幅の一定の時間範囲に示される信号波形、ここでは、マークした箇所を含む周辺領域のセンサからの信号波形が拡大されて時刻位置を示すライン２１７−７とともに表示される。
【００６９】
図１５は、図１４に示す左側の領域２０３Ａ（信号波形の表示領域）の拡大図である。解析者は、拡大表示領域２００に信号波形を拡大表示することで、収録時にマークされた箇所の妥当性を再確認し、あるいは測定収録時にチェックされていない波形部分をチェックすることができる。たとえば、ライン２１７−７を左右にドラッグすることで、波形の乱れや特異点の正確な箇所を特定し、変更することもできる。拡大表示領域２００に、表示領域１０３で強調表示されているマーク１０３ａ−７や属性アイコン１０６−７を反映させてもよい。ただし、振幅の特異点を正確に判断する際の視認の妨げになることも考えられるので、拡大表示領域２００にマーク１０３ａ−７や属性アイコン１０６−７を表示する場合は、表示と非表示の選択を可能にしておくのが望ましい。
【００７０】
拡大表示領域２００に表示する信号波形の種類（脳波波形や脳磁波形など）やチャネル範囲を指定することも可能である。たとえば、解析者は視線を画面２０２の上方へ移し、脳磁波形の表示領域１０１または１０２の波形に振幅の特異点がないかを確認する場合がある。この場合、ボックス１２５に表示領域１０１または１０２のターゲットのチャネル領域を指す情報を入力することで、拡大表示領域２００においてライン２１７−７に対応する上記チャネル領域の脳磁波形を拡大表示することができる。
【００７１】
拡大表示領域２００の下側には、確認ウィンドウ２１０が表示されている。確認ウィンドウ２１０は、信号波形の属性ボタン２１１と、信号源の推定ボタン２１２とを含む。属性ボタン２１１は、測定収録画面２０１のポップアップウィンドウ１１５に含まれる属性情報と対応し、収録時に付加された属性が誤っているときは、属性ボタン２１１を選択して正しい属性を選択することができる。信号波形の正しい位置や属性の選択が確認されたならば、推定ボタン２１２をクリックすることで信号源の推定がなされる。後述するように、推定された信号源は、ＭＲＩ（磁気共鳴画像：Magnetic  Resonance  Imaging）で取得された被測定者の脳の複数の断層画像（生体断層画像）のうち該推定された信号源に対応する断層画像上に重畳して表示することができる。なお、信号源の推定は、本実施形態の情報処理装置５０が行ってもよいし、外部装置が行ってもよい。
【００７２】
図１６は、図１４に示す右側の領域２０３Ｂの拡大図である。図１５でマークの位置や属性が確認され信号源の推定ボタン２１２が選択されると、信号源が推定され、図１６のアノテーションリスト１８０の対応するアノテーション番号１８１（この例では、アノテーション番号「７」）に、推定完了マーク１８２が付加される。さらに、表示ウィンドウ１９０のＭＲＩ断層画像に、ダイポールの推定結果１９０ａが表示される。
【００７３】
解析者により表示領域１０１〜１０３のマークの位置やアノテーションの内容が変更される場合のアノテーションリスト１８０の更新方法は、２通りある。解析者による最新の更新情報だけをアノテーションリスト１８０に反映する方法と、測定収録時のアノテーションの情報を維持したまま、新たなアノテーションの情報として追加する方法である。後者の方法を採用する場合は、アノテーション識別情報として、たとえば収録時のアノテーション番号からの枝番号を付けることができる。この場合、表示領域１１０にも新たなアノテーションの情報を追加して、追加のアノテーションを時間軸に沿って異なる色で表示してもよい。
【００７４】
図１７は、情報処理装置５０で行われる解析段階での情報表示処理の一例を示すフローチャートである。以下の情報表示処理は、情報処理装置５０の制御部２５０が入力操作を判断するなどして行う。開始画面２０４（図４参照）で「解析」ボタン２０４−２が選択されると（ステップＳ２１）、解析が開始され、解析画面２０２（図１１参照）が表示される（ステップＳ２２）。初期の解析画面２０２は、信号波形が表示されていないブランク画面でもよいし、収録の先頭または最後の一定の時間範囲の信号波形であってもよい。解析画面２０２が表示されると、特定のアノテーションが選択されたか否かが判断される（ステップＳ２３）。アノテーションの選択は、アノテーションリスト１８０（図１３参照）内での特定のアノテーション番号または行の選択であってもよいし、表示領域１２０（図１２参照）の時間軸１２２上のタイムゾーン１２０ｂを操作することによる時刻位置の指定であってもよい。アノテーションの選択があると（ステップＳ２３でＹＥＳ）、選択されたアノテーションの時刻位置を含む所定時間分の信号波形が表示される（ステップＳ２４）。
【００７５】
その後、強調表示されたマークの時間位置を示すライン１１７（図１２に示す例ではライン１１７−７やライン１１７−８に対応）が選択されたか否かが判断される（ステップＳ２５）。ライン１１７が選択されると（ステップＳ２５でＹＥＳ）、選択されたラインを含む一定の時間範囲の信号波形が拡大表示領域２００（図１４参照）に拡大表示される（ステップＳ２６）。拡大表示する信号波形は、すべてのチャネルの信号波形であってよい。また、マークされた信号波形が取得されたチャネルを含む一定範囲のチャネルで取得された信号波形を拡大表示させてもよい。また、強調表示されたマークとその近傍の同種の信号波形から、ボックス１２５（図１５参照）にターゲットのチャネル領域を入力することにより、強調表示されたマークと同じ時間位置の異なる種類の信号波形の拡大表示に変更してもよい。たとえば、脳波信号波形に強調表示されたマークが付されている場合に、同じ時間位置の脳磁信号波形を拡大表示させてもよい。この場合、拡大表示させたい信号波形の種類やチャネル範囲の指定入力の有無を判断する。
【００７６】
次に、信号源の推定ボタン２１２（図１５参照）が押下されたか否かが判断される（ステップＳ２７）。信号源の推定ボタン２１２が押下されると（ステップＳ２７でＹＥＳ）、信号源推定の演算が行われ、その推定結果がＭＲＩ断層画像に表示されるとともに、アノテーションリスト１８０（図１６参照）に推定完了マーク１８２が追加される（ステップＳ２８）。そして、アノテーションリスト１８０の下に配置されたマージボタン３００の押下を受け付けた場合（ステップＳ２９でＹＥＳ）、情報処理装置５０は推定が完了した指定箇所を一覧表示して症例の原因となる対象箇所を特定しやすくするマージ処理を行う（ステップＳ３０）。マージ処理の詳しい説明については後述する。マージボタン３００の押下を受け付けなかった場合（ステップＳ２９でＮＯ）、または、ステップＳ３０の後は、解析終了コマンドが入力されたか否かが判断される（ステップＳ３１）。アノテーションの選択がない場合（ステップＳ２３でＮＯ）、拡大表示のためのライン１１７の選択がない場合（ステップＳ２５でＮＯ）、および信号源の推定ボタン２１２の押下がない場合（ステップＳ２７でＮＯ）は、ステップＳ３１へ飛んで解析終了の判断を行う。解析終了コマンドが入力される（ステップＳ３１でＹＥＳ）まで、ステップＳ２３〜ステップＳ３０が繰り返される。
【００７７】
ステップＳ２６とステップＳ２７の間に、アノテーションが変更されたか否かの判断を行ってもよい。アノテーションが変更された場合は、アノテーションリスト１８０へ変更を反映して、ステップＳ２７の判断に移行する。
【００７８】
上述した表示処理動作により、視認性と操作性に優れた情報表示が実現する。
【００７９】
（マージ処理）
マージ処理において、表示制御部２５１（図３参照）は、第１の表示領域と第２の表示領域とを有する画面を表示する。この表示処理において、表示制御部２５１は、信号源の推定が完了済みの複数のアノテーションと１対１に対応し、アノテーションが示す位置または範囲の１以上の生体信号の波形をそれぞれ示す複数の生体信号群を第１の表示領域に並列表示し、信号源が重畳表示された生体断層画像を第２の表示領域に表示する制御を行う。「生体信号群」は、「部分データ」に相当し、一部の時間に対応する生体データを示す。ここでは、表示制御部２５１は、測定が行われた時間が早い方から遅い方に向けて複数の生体信号群を並べて表示する。また、表示制御部２５１は、複数の生体信号群のうちの何れかの生体信号群が選択された場合、その選択された生体信号群に対応する信号源を含む生体断層画像を表示するとともに、該信号源を示す情報を該生体断層画像上に重畳して表示する。さらに、表示制御部２５１は、選択された生体信号群に対応する信号源を含む生体断層画像上に、選択されていない生体信号群に対応する信号源が存在する場合は、その信号源を示す情報も重畳して表示する。以下、具体的な内容を説明する。
【００８０】
本実施形態では、表示制御部２５１は、図１６に示すアノテーションリスト１８０の下に配置されたマージボタン３００の押下を受け付けると、図１８に示すような画面４００を表示装置２８に向けて表示する制御を行う。画面４００は、第１の表示領域の一例である領域３０１Ａと、第２の表示領域の一例である領域３０１Ｂと、を含む。領域３０１Ａには、図１６に示すアノテーションリスト１８０に表示された複数のアノテーションのうち推定完了マーク１８２が付与されたアノテーションごとに、収録済みの生体データのうち該アノテーションに対応する範囲内（時間で区切られた範囲内）の生体信号群が表示される。この例では、２つの脳磁信号と１つの脳波信号とを構成に含む生体信号群を一例として示している。当該生体信号群は、図１６に示すように短冊状に表示されるため、以下では、時間で区切られた１つの範囲内の生体信号群を指して「短冊波形」と称する場合がある。他方の領域３０１Ｂには、領域３０１Ａに表示されている短冊波形の解析情報が表示される。各短冊波形が表示される領域３０１Ａを左側に配置し、解析情報を表示する領域３０１Ｂを右側に配置することで、図１１や図１４に示す解析画面２０２と同じレイアウトとなり、解析者の作業性が向上する。なお、表示制御部２５１は、所定のボタン（「戻る」ボタン等）の押下を受け付けた場合、解析画面２０２の表示に戻す制御を行う。
【００８１】
図１８に示す画面４００の左側の領域３０１Ａは、図１６で推定完了マーク１８２が付与された複数のアノテーションと１対１に対応する複数の短冊波形が全体の時間軸３２０Ａに沿って並列表示されている。この例では、同一属性（図１８の例では「スパイク」）の複数のアノテーションと１対１に対応する複数の短冊波形が並列表示されている。例えば解析者はマージボタン３００を押下する際に、何れか１つの属性を指定する操作を行うことができる。表示制御部２５１は、マージボタン３００の押下と、属性を指定する操作とを受け付けた場合に、図１６で推定完了マーク１８２が付与された複数のアノテーションのうち、指定された属性を示す複数のアノテーションと１対１に対応する複数の短冊波形を並列表示する制御を行うことができる。ただし、これに限らず、表示制御部２５１は、マージボタン３００の押下を受け付けた場合、属性が同一であるかは問わずに、図１６で推定完了マーク１８２が付与された複数のアノテーションと１対１に対応する複数の短冊波形を並列表示する制御を行うこともできる。
【００８２】
図１８に示す表示領域１０１，１０２，１０３の左側には、それぞれ波形のチャネル番号１０７が表示され、この例では、全てのセンサもしくは、解析者により選択（指定）された任意のセンサからの波形が表示されている。表示領域１０１，１０２，１０３には、収録済みの生体データのうちマーキングされた箇所を中心として前後２秒間の短冊波形が並列表示されている。
【００８３】
図１８の例では、８つの短冊波形が並列表示されている。図１８に付した斜線部１０８が、この例の短冊波形の１つを表している。なお、短冊波形の数は任意に変更可能であり、８つよりも少ない形態であってもよいし８つよりも多い形態であってもよい。画面４００には、本例の各短冊波形が含む生体信号の種類を説明するために、対応する表示領域に対して符号を付している。画面４００の左上を表示領域１０１Ａとし、画面４００の上から下の順に表示領域１０１Ａ、表示領域１０２Ａ、表示領域１０３Ａを付している。また、画面４００の右方向に１つずらすごとに符号の「Ａ」を「Ｂ、Ｃ、Ｄ、・・・」に変更して符号を付している。以下に、これらの符号を用いて、本例の短冊波形の構成を説明する。画面４００の左から数えて第１番目の短冊波形（図１８に斜線部１０８を付した短冊波形）は、表示領域１０１Ａに示した波形と表示領域１０２Ａに示した波形と表示領域１０３Ａに示した波形との組で構成されている。同様に、第２番目の短冊波形は表示領域１０１Ｂに示した波形と表示領域１０２Ｂに示した波形と表示領域１０３Ｂに示した波形との組で構成され、第３番目の短冊波形は表示領域１０１Ｃに示した波形と表示領域１０２Ｃに示した波形と表示領域１０３Ｃに示した波形との組で構成され、第４番目の短冊波形は表示領域１０１Ｄに示した波形と表示領域１０２Ｄに示した波形と表示領域１０３Ｄに示した波形との組で構成され、第５番目の短冊波形は表示領域１０１Ｅに示した波形と表示領域１０２Ｅに示した波形と表示領域１０３Ｅに示した波形との組で構成され、第６番目の短冊波形は表示領域１０１Ｆに示した波形と表示領域１０２Ｆに示した波形と表示領域１０３Ｆに示した波形との組で構成され、第７番目の短冊波形は表示領域１０１Ｇに示した波形と表示領域１０２Ｇに示した波形と表示領域１０３Ｇに示した波形との組で構成され、第８番目の短冊波形は表示領域１０１Ｈに示した波形と表示領域１０２Ｈに示した波形と表示領域１０３Ｈに示した波形との組で構成される。ここでは、各短冊波形の幅方向の大きさは全て同じである。波形の乱れや振幅の特異点等（以下、これらを「特異点」として示す）を並列表示することで、各短冊波形を比較することが可能である。
【００８４】
各短冊波形は、画面４００の左から右に向けて、測定時間順で早い方から遅い方に向けて並べられているので、測定時間に応じた特異点の波形（例えばスパイク波形）の傾向を比較することができる。また、図１８に示す画面４００において、表示領域１０１の上方に配置される表示領域３１０は、各短冊波形の測定時間をそれぞれ表示する時間軸３１２Ａ〜３１２Ｈを有している。各時間軸に表示されている時間を確認することで、スパイクの頻度（時間間隔）を視認できる。各時間軸の対応する時刻位置には、アノテーション１１０ａ−１〜１１０ａ−８が表示されている。
【００８５】
また、表示領域１０１〜１０３には、指定された箇所が、マークと、マークの近傍の属性アイコンとにより強調表示される。図１８の例では、第１番目の短冊波形における表示領域１０３Ａに、マーク１０３ａ−１と属性アイコン１０６−１が表示され、第２番目の短冊波形における表示領域１０３Ｂに、マーク１０３ａ−２と属性アイコン１０６−２が表示され、第３番目の短冊波形における表示領域１０３Ｃに、マーク１０３ａ−３と属性アイコン１０６−３が表示され、第４番目の短冊波形における表示領域１０３Ｄに、マーク１０３ａ−４と属性アイコン１０６−４が表示され、第５番目の短冊波形における表示領域１０３Ｅに、マーク１０３ａ−５と属性アイコン１０６−５が表示され、第６番目の短冊波形における表示領域１０３Ｆに、マーク１０３ａ−６と属性アイコン１０６−６が表示され、第７番目の短冊波形における表示領域１０３Ｇに、マーク１０３ａ−７と属性アイコン１０６−７が表示され、第８番目の短冊波形における表示領域１０３Ｈに、マーク１０３ａ−８と属性アイコン１０６−８が表示され、各指定箇所がそれぞれの短冊波形において強調表示されている。
【００８６】
また、図１８において、表示領域３１０の上方に配置された表示領域３２０は、表示されている短冊波形全体の表示ページ位置を表示している。例えば図１６に示すアノテーションリスト１８０に表示された複数のアノテーションのうち推定完了マーク１８２が付与されたアノテーションの数が、１画面（１ページ）に表示可能な数を超えていた場合は、短冊波形の集合は複数ページにわたることになる。この場合、表示領域３２０は、複数ページを含む全体に対する現在の表示ページの位置を示す情報となる。この例では、全体の時間軸３２０Ａを配置し、図１８にグレーで示した表示領域３２０Ｂは、画面４００に表示されている各短冊波形の位置（全体時間に対する位置）を示し、白で示した領域３２０Ｃは画面４００に表示されていない短冊波形の位置を示す。表示制御部２５１は、グレーの表示領域３２０Ｂの位置を変更する操作を受け付けた場合、変更後の表示領域３２０Ｂに対応する短冊波形群に表示を切り替える制御を行う。
【００８７】
また、図１８の画面４００の左下に配置された表示領域３３０は、短冊波形の単位時間（例えば１秒等）当たりの表示幅を変更するための入力を受け付けるための表示領域である。表示制御部２５１は、表示領域３３０で受け付けた入力に応じて、短冊波形の単位時間当たりの表示幅を変更することができる。例えばスパイクの位置を拡大したい場合や、スパイク前後を俯瞰したい場合に表示幅を変更することで、より注目したい情報に特化した表示が可能となる。
【００８８】
画面４００の右側の領域には、表示領域１０１および１０２に表示されている信号波形に対応する脳磁分布図１４１、１４２、および表示領域１０３に表示されている信号波形に対応する脳波分布図１３０が表示されている。また、脳磁図（ＭＥＧ：Magnetoencephalograph）の等磁場図１５０と、脳波図（ＥＥＧ：Electroencephalograph）のマップエリア１６０と、ＭＲＩ（磁気共鳴画像：Magnetic  Resonance  Imaging）で取得された被測定者の脳の断層画像（生体断層画像の一例）の表示ウィンドウ１９０とが表示されている。
【００８９】
ここで、表示ウィンドウ１９０中の断層画像について説明する。図１９に示すように、表示ウィンドウ１９０中の断層画像は、上面からのスライス画像１９０Ａと、背面方向からのスライス画像１９０Ｂと、側面方向からのスライス画像１９０Ｃとで構成されている。各スライス画像１９０Ａ〜１９０Ｃは、３次元方向に位置がリンクしている。基準線１９０Ｅは、各スライス画像をまたがるように表示され、各基準線１９０Ｅの交点Ｏは各スライス画像のスライス位置を表示している。この例では、スライス画像１９０Ｂは、スライス画像１９０Ａに示す水平方向（左右方向）の基準線１９０Ｅの位置（スライス画像１９０Ｃに示す上下方向の基準線１９０Ｅの位置にも対応）における断面を図１９に示すＡ方向から見た図となっている。スライス画像１９０Ｃは、スライス画像１９０Ａに示す上下方向の基準線１９０Ｅの位置（スライス画像１９０Ｂに示す上下方向の基準線１９０Ｅの位置にも対応）における断面を図１９に示すＢ方向から見た図となっている。そして、スライス画像１９０Ａは、スライス画像１９０Ｂに示す水平方向の基準線１９０Ｅの位置（スライス画像１９０Ｃに示す水平方向に基準線１９０Ｅの位置にも対応）における断面をスライス画像１９０Ｂの上方側から見た図となっている。
【００９０】
図２０に示すように、現在の表示位置における基準線１９０Ｅを実線としたとき、解析者が交点ＯをマウスでドラックしてＯＸに移動すると、基準線１９０Ｅが連動して移動するとともに、交点ＯＸに対応するスライス画像へ連続的に表示が切り替わり破線から実線のようにスライス画像の表示が切り替わる。このとき、ダイポールの推定結果１９０ａの表示もスライス画像に対応して変更される。以上の構成により、立体的に信号源の位置を視認することができる。
【００９１】
つまり、この例では、生体断層画像は、第１方向の断面である第１断層画像（例えばスライス画像１９０Ａ）と、第１方向と直交する第２方向の断面である第２断層画像（例えばスライス画像１９０Ｂ）と、第１方向および第２方向と直交する第３方向の断面である第３断層画像（例えばスライス画像１９０Ｃ）と、を含む。そして、表示制御部２５１は、第１断層画像、第２断層画像および第３断層画像のうちの何れかの断層方向の位置を変更するための入力を受け付けた場合、他の断層画像も連動した断層方向の断層画像に表示を切り替える制御を行う。
【００９２】
また、本実施形態では、制御部２５０は、領域３０１Ａに並列表示された各短冊波形の選択を受け付ける。選択された短冊波形は、表示制御部２５１が表示色や背景色を変えるなどしてもよい。例えば、図１８の第１番目の短冊波形が選択された場合に、斜線部１０８で示す範囲の表示を変える。表示制御部２５１は、領域３０１Ａに並列表示された複数の短冊波形のうちの何れかの短冊波形が選択された場合、その選択された短冊波形に対応する信号源を含むスライス画像を表示ウィンドウ１９０にスライス画像１９０Ａ〜１９０Ｃとして表示するとともに、該信号源を示す情報（選択された短冊波形に対応するダイポールの推定結果）を該各スライス画像１９０Ａ〜１９０Ｃ上に重畳して表示する。各スライス画像１９０Ａ〜１９０Ｃ上において、選択されていない短冊波形に対応する信号源も存在する場合は、その信号源を示す情報（ダイポールの推定結果）も重畳して表示する。一方、各スライス画像１９０Ａ〜１９０Ｃ上に、選択されていない短冊波形に対応する信号源が存在しない場合には、選択されている短冊波形に対応する信号源を示す情報（ダイポールの推定結果）のみが表示さることになる。
【００９３】
表示制御部２５１は、選択された短冊波形に対応するダイポールの推定結果と、短冊波形に対応するダイポールの推定結果とを、異なる表示形態で各スライス画像１９０Ａ〜１９０Ｃ上に重畳表示することができる。例えば、選択された短冊波形に対応するダイポールの推定結果を黄色で表示し、選択されていない短冊波形に対応するダイポールの推定結果を赤色で表示する形態などがある。
【００９４】
図１９に示す例では、模式的に、選択されたダイポールの推定結果を白抜きで示し、それ以外のダイポールの推定結果を黒で示している。図２０に示すように交点Ｏから交点ＯＸの表示に切り替わると、図１９において表示されていたダイポールの推定結果が表示されなくなり、図２０の各スライス画像１９０Ａ〜１９０Ｃに該当するダイポールの推定結果が表示されるようになる。なお、図２０には、表示されなくなった図１９のダイポールの推定結果をグレーで示している。このようなことから、選択された短冊波形に対応するダイポールの推定結果が視認しやすくなるので、選択された短冊波形に対応する信号源と、他の信号源との位置関係を視認しやすくなり、作業性が向上する。また、この例では、短冊波形のアノテーション位置を指定しなくても、短冊波形が表示されている領域であればどこを選択（タッチ操作またはマウスでクリック等により選択可能）しても、選択された短冊波形の特異点に対応するダイポールの推定結果に表示が変わる。したがって、表示ウィンドウ１９０のダイポールの推定結果１９０ａの切り替え作業が容易になる。また、何れかの短冊波形が選択されたとき、図１９に示すように、選択された短冊波形と、他の短冊波形とを区別して表示することで、視認性が向上する。
【００９５】
図１８に戻って説明を続ける。表示制御部２５１は、コントロールボタン３４０の操作に応じて、領域３０１Ａに表示される各短冊波形の表示を切り替える。ここでは、全てのセンサの波形を表示する態様や、解析者により選択（指定）された任意のセンサの波形を表示する態様などがある。本実施形態においては、解析者は、コントロールボタン３４０のマニュアルボタン３４０Ｂを押下し、領域３０１Ａで表示したい脳磁信号波形に対応するセンサを脳磁分布図１４１，１４２からマウスで選択（１つのセンサをクリックまたは複数センサを範囲指定）する操作を行う。この操作を受け付けた表示制御部２５１は、選択されたセンサに対応する信号波形のみを表示するよう、表示領域１０１，１０２の表示を切り替える。そして、これに連動して表示ウィンドウ１９０におけるダイポールの推定結果１９０ａの表示も切り替わる。
【００９６】
たとえば、脳磁分布図１４１，１４２で指定されなかったセンサの位置で異なるグループのスパイクが発生していた場合、そのスパイクに対応するダイポールの推定結果１９０ａが表示ウィンドウ１９０上で非表示となる。これにより、特定の範囲の信号源に絞って表示することができるので、視認性が向上する。たとえば、スライス画像１９０Ａ〜１９０Ｃ上のダイポールの推定結果１９０ａの位置と等磁場図１５０の情報から、信号源周辺のセンサに対応する脳磁信号の波形のみを表示することで、脳波計でスパイクと特定した時間と同じ時間の脳磁計波形が視認しやすくなる。
【００９７】
以上のようにして、解析者は、各スライス画像１９０Ａ〜１９０Ｃに重畳表示されている各ダイポールの推定結果１９０ａを、他のダイポールの推定結果１９０ａの位置や領域３０１Ａに表示されている短冊状の波形、等磁場図１５０などから信憑性を検証し、手術にて切除する位置（てんかんの原因となっている箇所）を特定する。そして、そのときのダイポールの推定結果１９０ａを表示している状態で、出力ボタン１４０の押下を受け付けた場合、情報処理装置５０は、ダイポールの推定結果１９０ａが重畳表示されたスライス画像１９０Ａ〜１９０Ｃと、短冊波形とを含む画面４００をプリントアウトする。このように、立体的な信号源の位置を従来に比べてより詳細に特定することができる。
【００９８】
以上に説明したように、本実施形態では、領域３０１Ａに複数の短冊波形を並列表示し、領域３０１Ｂに信号源が重畳表示されたスライス画像１９０Ａ〜１９０Ｃを表示する制御を行う。この情報表示制御により、特異部分を含む複数の短冊波形が並列表示されるとともに、各短冊波形に対応する信号源が重畳表示されたスライス画像１９０Ａ〜１９０Ｃも併せて表示されるので、解析者が、症例の原因となる対象箇所を特定する確度を向上させることができる。
【００９９】
また、上述したように、本実施形態では、並列表示された複数の短冊波形の中から任意の短冊波形を１つ選択した場合、指定した短冊波形（特異点を含む）に対応するスライス画像（生体断層画像）が、同一画面上で参照・更新される。そこで、解析者が、各特異点のスライス画像を確認することが容易となり、操作性の向上、また解析者の解析時間短縮という効果を得られる。
【０１００】
また一例として、解析者が最終的な測定結果をレポートする場合、計測した被測定者の信号波形から、最も典型的な特異点の波形（例えばてんかんの特徴的な波形）が表われた注目箇所を、１つないし複数抜粋することがある。その場合に、一画面上に複数の短冊波形が並列表示されていることで、波形の形状を迅速かつ正確に、比較することができる。
【０１０１】
（第１の実施形態の変形例１）
例えば表示制御部２５１は、図１６で推定完了マーク１８２が付与された複数のアノテーションの中から、マージボタン３００の押下時に併せて指定された属性を示す複数のアノテーションを選択し、その選択した複数のアノテーションと１対１に対応する複数の短冊波形を比較して、波形形状が同じまたは近い形状の短冊波形ごとにグループ分けしてもよい。そして、そのようなグルーピングにより得られた複数のグループごとに、該グループに属する短冊波形を並列に表示することもできる。そして、解析者が何れかのグループを選択した場合は、その選択されたグループに属する短冊波形のみが表示される形態であってもよいし、解析者が非表示にしたいグループを選択した場合は、その選択されたグループに属する短冊波形は非表示にされる形態であってもよい。
【０１０２】
また、例えば想定される属性が１つのみ（例えば「スパイク」のみ）であって、属性の指定が不要な形態の場合は、表示制御部２５１は、マージボタン３００の押下時に、図１６で推定完了マーク１８２が付与された複数のアノテーションと１対１に対応する複数の短冊波形を比較して、波形形状が同じまたは近い形状の短冊波形ごとにグループ分けしてもよい。また、例えば解析時に、１つのアノテーションに対する信号源の推定が行われるたびに、解析部２５２は、それまでに信号源の推定が完了した複数のアノテーションの各々に対応する短冊波形同士を比較して自動的にグルーピングしていき、該１つのアノテーションに対して、推定完了マーク１８２とともにグループを識別するためのグループ番号を付与する形態であってもよい。そして、例えば表示制御部２５１は、マージボタン３００の押下と、何れかのグループ番号を指定する操作（例えばグループを選択するためのボタンを押下する操作等）とを受け付けた場合、推定完了マーク１８２が付与された複数のアノテーションのうち、指定されたグループ番号が示すグループに属する複数のアノテーションと１対１に対応する複数の短冊波形を並列に表示することもできる。この場合、例えば図１８に示す画面４００において、表示領域１０１の上方に配置される表示領域３１０には、各時間軸の対応する時刻位置に表示されるアノテーション１１０ａ−１〜１１０ａ−８に加えてグループ番号も併せて表示される形態であってもよい。
【０１０３】
また、さらに別の態様として、予め記憶装置（収録／解析情報保存部２５４の保存先等）に格納されている波形（例えばてんかんの特徴的な波形など）と、図１６で推定完了マーク１８２が付与された複数のアノテーションと１対１に対応する複数の短冊波形の各々とを比較してグループ分けしてもよい。
【０１０４】
なお、上述したように、グループ分けのタイミングは任意であり、マージボタン３００が押下されたタイミングであってもよいし、解析時に１つのアノテーションに対する信号源の推定が完了したタイミングであってもよい。また、グルーピングは全自動で行われる形態に限られず、半手動で行われる形態であってもよい。例えば解析者が、信号源の推定が完了した複数のアノテーションをグループ分けするグルーピングの契機となる操作を行い、この操作に応じてグルーピングが実行される形態であってもよい。
【０１０５】
要するに、表示制御部２５１は、信号源の推定が完了済みの複数のアノテーションと１対１に対応する複数の短冊波形を信号波形の類似性に基づいてグルーピングし、該グルーピングにより得られた複数のグループごとに、該グループに属する複数の短冊波形を並列表示することもできる。また、解析者の操作に応じて、複数のグループのうちの１つ以上のグループのみを選択的に表示することもできるし、選択的に非表示にすることもできる。
【０１０６】
（第１の実施形態の変形例２）
例えば表示制御部２５１は、コントロールボタン３４０の操作に応じて、領域３０１Ａに表示される各短冊波形の表示を切り替える場合、切り替え前のスライス画像１９０Ａ〜１９０Ｃ上のダイポールの推定結果１９０ａと、切り替え後のダイポールの推定結果１９０ａとを異なる色で表示することもできる。これにより、解析者にとっては、センサに対応した推定結果１９０ａを区別して視認することができるので、作業性が向上する。
【０１０７】
（第１の実施形態の変形例３）
上述の第１の実施形態では、短冊波形とスライス画像１９０Ａ〜１９０Ｃとを一覧表示しているが、これに限らず、例えば、領域３０１Ａと領域３０１Ｂとを別々の表示装置で表示する形態であってもよい。このように短冊波形とスライス画像１９０Ａ〜１９０Ｃとを別装置で個別に表示することで、波形の細部がより視認しやすくなる。
【０１０８】
（第１の実施形態の変形例４）
上述の第１の実施形態において表示対象となる１以上の生体信号は、被測定者の頭部右側に対応する磁気センサ群から得られる脳磁信号と、被測定者の頭部左側に対応する磁気センサ群から得られる脳磁信号と、被測定者の脳波測定用の電極から得られる脳波信号とから構成されているが、これに限らず、例えば脳波信号は表示されずに脳磁信号のみが表示される形態であってもよい。この形態の場合、図１８に示す画面４００は、図２１に示す態様で表示される。図２１において、表示領域１０１、１０２には、図１８と同様に、短冊波形の波形の種類を示す表示領域の符号を付したままにしている。図２１において、斜線部１０８は、第１番目の短冊波形を示している。各短冊波形は、表示領域１０１、１０２に示した波形の組で構成されている。例えば、第１番目の短冊波形は、表示領域１０１Ａに示した波形と表示領域１０２Ａに示した波形との組で構成されている。
【０１０９】
（第１の実施形態の変形例５）
上述の第１の実施形態では、測定収録画面２０１（図５乃至図９）で付与したアノテーションの情報を解析画面２０２（図１１乃至１４）でも使用できるようにしていた。しかし、これに限らず、例えば、収録者は収録時に波形の特異点の時間をメモ（ノートでもよいし、メモ機能を有する装置でもかまわない）しておき、解析者が解析画面２０２に対して特異点の時間を入力して、各特異点に対するダイポール推定を実行しても構わない。このような構成においても、上述した第１の実施形態と同様の効果が得られる。
【０１１０】
（第１の実施形態の変形例６）
上述の第１の実施形態では、測定収録画面２０１（図５乃至図９）で付与したアノテーションの情報を解析画面２０２（図１１乃至１４）でも使用できるようにし、解析画面２０２でダイポール推定した後に、マージボタン３００を押下することで図１８に示す画面４００が表示されていた。本例では、例えば上述の変形例５と同様に、収録者は収録時に波形の特異点の時間をメモする。そして、解析者がマージボタン３００（他の名称のボタンでもかまわない）を押下したときに、マージする信号源に対応する特異点の時間を入力する画面が表示される。解析者が、この画面に時間を入力して実行ボタンを押した場合、解析部２５２は、入力された時間に対応する特異点の信号源を推定する。そして、表示制御部２５１は、推定された各信号源をマージして図１８の画面４００を表示する制御を行う。このような構成においても、上述した第１の実施形態と同様の効果が得られる。
【０１１１】
（第２の実施形態）
次に、第２の実施形態を説明する。上述の第１の実施形態と共通する部分については適宜に説明を省略する。基本的な装置構成は上述の第１の実施形態と同じである。
【０１１２】
本実施形態の表示制御部２５１は、推定済みの信号源ごとに推定時の信号処理条件を紐付けた紐付情報に基づいて、表示対象の短冊波形に対応する信号源に紐付く信号処理条件を呼び出し、呼び出した信号処理条件に従って、推定時の短冊波形の波形を再現して表示する。ここでは、生体信号はノイズ低減を目的とした信号処理（フィルタ処理等）が行われている。また、信号源の推定時には、複数のセンサのうち、信号源が発生したと考えられる範囲の生体信号を検知するためのセンサ（信号源に対応するセンサ）以外のセンサからの波形は使用せずに非表示とし、信号源に対応するセンサからの波形を表示させて推定を行う。この例では、解析者は、信号源の推定ボタン２１２を押下する前に、使用するセンサを指定する操作を行うことができる。情報処理装置５０（解析部２５２）は、解析者から指定されたセンサからの信号波形に基づいて信号源の推定を行う。
【０１１３】
例えば図１４に示す解析画面２０２の領域２０３Ａ（信号波形の表示領域）に解析者により設定可能な任意のフィルタが設定されている。拡大表示領域２００において拡大表示をするとき、領域２０３Ａに設定されているフィルタと同じ特性のフィルタを適用することができる。ただし、これに限らず、領域２０３Ａに設定されているフィルタとは異なる任意のフィルタを適用して拡大表示させる形態であってもよい。この例では、解析部２５２は、拡大表示領域２００に表示されている信号波形に基づいてダイポール推定を行う。収録／解析情報保存部２５４は、ダイポール推定が行われると、拡大表示領域２００に適用されたフィルタ条件と、表示されている信号波形のチャネルを示すチャネル情報（対応するセンサを示す情報）とを信号処理条件として推定結果に紐付けた紐付情報を、記憶装置上に保存する。
【０１１４】
つまり、この例では、信号源の推定が完了するたびに、記憶装置に、推定結果（信号源）と推定時の信号処理条件（フィルタ条件やチャネル情報）とを紐付けた紐付情報が保存される。なお、この例における推定結果は、ダイポールの推定結果だけではなく、対応する短冊波形（ダイポールの推定に用いた生体信号群）や対応するアノテーションを特定可能な情報である。
【０１１５】
そして、表示制御部２５１は、図１６に示すアノテーションリスト１８０の下に配置されたマージボタン３００の押下を受け付けた場合、上述の紐付情報に基づいて、画面４００の領域３０１Ａに対し、短冊波形ごとに対応する推定結果に紐付く信号処理条件を呼び出し、呼び出した信号処理条件に従って、推定時の各短冊波形の波形を再現して表示する。
【０１１６】
図２２は、このとき表示される領域３０１Ａ内の各短冊波形の一例を示す図である。図２２において、表示領域１０１、１０２、１０３に示す表示領域１０１Ａ、１０２Ａ、１０３Ａ、１０１Ｂ、１０２Ｂ・・・の各符号は、図１８と同様の並びで説明のために付与したものである。この例も、各短冊波形は、図１８のように表示領域１０１、１０２、１０３に示した波形の組で構成されている。例えば、第１番目の短冊波形は、表示領域１０１Ａに示した波形と表示領域１０２Ａに示した波形と表示領域１０３Ａに示した波形との組で構成されている。この例では、表示領域１０１に表示される信号波形、表示領域１０２に表示される信号波形は、信号処理条件として指定されたセンサに対応する信号波形になるように、間引かれて表示される。例えば表示領域１０１に対応するセンサの指定数が、表示領域１０２に対応するセンサの指定数よりも多い場合は、表示領域１０１に表示される信号波形の数は、表示領域１０２に表示される信号波形の数よりも多くなる。
【０１１７】
なお、脳磁信号用のセンサの指定と、脳波信号用のセンサの指定は別作業なので、脳磁信号の波形（表示領域１０１、１０２に表示される信号波形）が間引かれていても、脳波信号の波形（表示領域１０３に表示される信号波形）が間引かれているとは限らない。
【０１１８】
また、短冊波形を構成する３つの表示領域（表示領域１０１、１０２、１０３）のうちの何れかの表示領域に対応するセンサの指定数が「０」であれば、指定数が「０」の表示領域には信号波形が表示されないことになる。
【０１１９】
（第２の実施形態の変形例）
上述の第２の実施形態では、画面４００（図２２参照）を表示する際に、領域３０１Ａに表示される各短冊波形は推定時の短冊波形の波形が再現されていたが、これに限られるものではない。例えば、各短冊波形は、全てのセンサに対応し、かつ、デフォルトの信号処理が施された生体信号群として表示され（図１８参照）、コントロールボタン３４０（図１８参照）のプリセットボタン３４０Ａの押下を契機として、推定時の短冊波形の波形表示（図２２参照）に切り替わる形態であってもよい。例えば表示制御部２５１は、図１８に示す画面４００が表示された状態でプリセットボタン３４０Ａの押下を受け付けた場合、領域３０１Ａ内の複数の短冊波形ごとに、対応する信号源に紐付く信号処理条件を呼び出し、呼び出した信号処理条件に従って、図２２に示すような推定時の短冊波形の波形を再現して表示する。
【０１２０】
（第３の実施形態）
次に、第３の実施形態を説明する。上述の各実施形態と共通する部分については適宜に説明を省略する。基本的な装置構成は上述の第１の実施形態と同じである。上述の各実施形態では、解析画面２０２には、所定の時間長分の生体データ（「１つの生体データ」とみなせる）が表示されているが、本実施形態では、表示制御部２５１は、所定の時間長ごとに区切られた複数の生体データを表示対象とし、タイムゾーン１２０ｂに対応する何れかの生体データの信号波形を表示する。
【０１２１】
また、表示制御部２５１は、所定の時間長ごとに区切られた複数の生体データの各々について、該生体データの一部に対応する１以上の生体信号群を特定し、複数の生体データにわたって特定した１以上（１つの場合もあるし、複数の場合もある）の生体信号群を並べて表示する制御を行う。この例では、表示制御部２５１は、上記複数の生体データの各々について、該生体データに対して入力済みの複数のアノテーションのうち信号源の推定が完了済みの複数のアノテーションと１対１に対応する複数の短冊波形（生体信号群）を特定する。そして、表示制御部２５１は、複数の生体データにわたって特定した全ての短冊波形を並べて表示する制御を行う。つまり、表示制御部２５１は、所定の時間長ごとに区切られた複数の生体データにわたる１以上の短冊波形（部分データ）を並べて表示する制御を行う。以下、具体的な内容を説明する。
【０１２２】
＜測定収録時の動作＞
例えば、第１の実施形態で説明したような測定が、３回にわたって断続的に実施される場合を想定する。各測定の間には所定のインターバル（インターバルの時間は任意）が設けられるとする。なお、この「３回」という回数は一例であり、これに限られるものではない。要するに測定回数は検査目的に応じて任意に変更可能である。図２３は、この場合の情報処理装置５０の動作例（３回の測定にわたる測定収録時の動作）を示すフローチャートである。図２３に示すように、ステップＳ４１において、情報処理装置５０は１回目の測定を行う。このときの動作は、図１０のステップＳ１２〜ステップＳ１７の処理と同様である。そして、１回目の測定が終了すると、情報処理装置５０は、１回目の測定により得られた生体データと、入力されたアノテーションとを含む測定データを、被検者を識別する被検者ＩＤと紐付けて保存する（ステップＳ４２）。
【０１２３】
次に、情報処理装置５０は、２回目の測定を行う（ステップＳ４３）。このときの動作は、図１０のステップＳ１２〜ステップＳ１７の処理と同様である。そして、２回目の測定が終了すると、情報処理装置５０は、２回目の測定により得られた生体データと、入力されたアノテーションとを含む測定データを被検者ＩＤと紐付けて保存する（ステップＳ４４）。
【０１２４】
次に、情報処理装置５０は、３回目の測定を行う（ステップＳ４５）。このときの動作は、図１０のステップＳ１２〜ステップＳ１７の処理と同様である。そして、３回目の測定が終了すると、情報処理装置５０は、３回目の測定により得られた生体データと、入力されたアノテーションとを含む測定データを被検者ＩＤと紐付けて保存する（ステップＳ４６）。
【０１２５】
以上のようにして、１回の測定（所定の時間長にわたる測定）が完了するたびに、その測定結果を示す測定データがファイル単位で保存されていく。以下の説明では、保存された１つの測定データのファイルを「測定ファイル」と称する場合がある。この例では、３回にわたる測定が終了した後、３つの測定ファイルが記憶されることになる。以下では、１回目の測定に対応する測定ファイルを「第１の測定ファイル」、２回目の測定に対応する測定ファイルを「第２の測定ファイル」、３回目の測定に対応する測定ファイルを「第３の測定ファイル」と称する場合がある。上述したように、各測定ファイルに対しては被検者ＩＤが紐付けられて保存される。
【０１２６】
＜解析時の動作＞
次に、解析時の動作を説明する。ここでは、図４の開始画面２０４で「解析」ボタン２０４−２の押下を受け付けた場合、情報処理装置５０（表示制御部２５１）は、測定により得られた測定ファイルを選択するための選択画面を表示装置２８に表示することを前提とする。図２４は、このときの情報処理装置５０の動作例を示すフローチャートである。
【０１２７】
まず、情報処理装置５０（制御部２５０）は、選択画面から測定ファイルを選択する操作を受け付ける（ステップＳ５１）。次に、情報処理装置５０（制御部２５０）は、ステップＳ５１で選択された測定ファイルと、該測定ファイルに紐付く被検者ＩＤと同一の被検者ＩＤが紐付けられた他の１以上の測定ファイルと、を含む一連の測定ファイル（この例では上述の３つの測定ファイル）を読み込み、その読み込んだ一連の測定ファイルを反映させた解析画面２０２を表示装置２８に表示する制御を行う（ステップＳ５２）。
【０１２８】
図２５は、このときの解析画面２０２の左側の領域２０２Ａの一例を示す図である。時間軸１２２上には、何れか１つの測定ファイルに対応する収録時間全体ではなく、一連の測定ファイル（第１の測定ファイル、第２の測定ファイル、第３の測定ファイル）の全ての収録時間を含む全体の時間が表示される。そして、時間軸１２２上には、第１の測定ファイルの収録期間を表す範囲情報９００ａと、第２の測定ファイルの収録期間を表す範囲情報９００ｂと、第３の測定ファイルの収録期間を表す範囲情報９００ｃと、が表示される。以下の説明では、範囲情報９００ａ、９００ｂ、９００ｃを互いに区別しない場合は単に「範囲情報９００」と称する場合がある。各範囲情報９００に対しては、対応する測定ファイルの名称を示す情報が付加される形態であってもよい。この例では、各測定は間隔を空けて実施されているため、時間軸１２２上において、範囲情報９００の間には隙間（空き領域）が設けられる。
【０１２９】
解析者は、マウス等によりタイムゾーン１２０ｂを移動する操作を行うことで、領域２０２Ａに表示される信号波形を切り替えることができる。この例では、タイムゾーン１２０ｂに対応する信号波形（何れかの測定ファイルの生体データのうちの一部）が領域２０２Ａに表示される。つまり、解析者は、時間軸１２２上でタイムゾーン１２０ｂを移動させることにより、測定ファイルを跨いで所望の時間帯の信号波形を領域２０２Ａに表示させることができる。また、ここでは、この解析画面２０２の右側の領域２０２Ｂのアノテーションリスト１８０には、３つの測定ファイルの各々に含まれるアノテーションが全て表示される。また、例えば測定ファイルごとに対象となる検査の名称が紐付けられ、タイムゾーン１２０ｂに対応する検査の名称も併せて解析画面２０２に表示する形態であってもよい。
【０１３０】
図２４に戻って説明を続ける。情報処理装置５０（制御部２５０）は、ステップＳ５２で解析画面２０２を表示した後に、タイムゾーン１２０ｂの位置を変更する操作を受け付けた場合（ステップＳ５３でＹＥＳ）、変更後のタイムゾーン１２０ｂの位置に対応する信号波形が現在の領域２０２Ａに表示されているか否かを確認する（ステップＳ５４）。
【０１３１】
ステップＳ５４の結果が否定の場合（ステップＳ５４でＮＯ）、情報処理装置５０（制御部２５０）は、領域２０２Ａに表示される信号波形を、変更後のタイムゾーン１２０ｂの位置に対応する信号波形に切り替える（ステップＳ５５）。ステップＳ５４の結果が肯定の場合（ステップＳ５４でＹＥＳ）、または、ステップＳ５５の後、情報処理装置５０（制御部２５０）は、解析者の操作に応じて解析処理を実行する（ステップＳ５６）。この解析処理の内容は、図１７に示すステップＳ２３〜ステップＳ３１の処理となる。
【０１３２】
なお、上述したように、アノテーションリスト１８０には、３つの測定ファイルの各々に含まれるアノテーションが全て表示されている。そして、ステップＳ２９において、マージボタン３００の押下を受け付けた場合、表示制御部２５１は、画面４００を表示し、アノテーションリスト１８０に表示された複数のアノテーション（複数の測定ファイルに跨る全てのアノテーション）のうち、推定完了マーク１８２が付与された複数のアノテーションごとの短冊波形を領域３０１Ａに表示し、領域３０１Ａに表示する短冊波形の解析情報を領域３０１Ｂに表示する。その他は上述の第１の実施形態で説明したとおりである。
【０１３３】
グループ分けの変形例についても上述の第１の実施形態と同様に考えることができる。例えば表示制御部２５１は、推定完了マーク１８２が付与された複数のアノテーションの中から、マージボタン３００の押下時に併せて指定された属性を示す複数のアノテーション（複数の測定ファイルに跨る複数のアノテーション）を選択し、その選択した複数のアノテーションと１対１に対応する複数の短冊波形を比較して、波形形状が同じまたは近い形状の短冊波形ごとにグループ分けしてもよい。そして、そのようなグルーピングにより得られた複数のグループごとに、該グループに属する短冊波形を並列に表示することもできる。この場合、各グループには、１以上の測定ファイルに対応する１以上の短冊波形が含まれることになる。
【０１３４】
例えば、何れか１つの測定ファイルのみに対応する１以上の短冊波形が含まれる場合もあり得るし、第１の測定ファイルに対応する１以上の短冊波形と、第２の測定ファイル（または第３の測定ファイル）に対応する１以上の短冊波形とが含まれる場合もあり得るし、第１の測定ファイルに対応する１以上の短冊波形と、第２の測定ファイルに対応する１以上の短冊波形と、第３の測定ファイルに対応する１以上の短冊波形とが含まれる場合もあり得る。そして、解析者が何れかのグループを選択した場合は、その選択されたグループに属する短冊波形のみが表示される形態であってもよいし、解析者が非表示にしたいグループを選択した場合は、その選択されたグループに属する短冊波形は非表示にされる形態であってもよい。
【０１３５】
また、例えば想定される属性が１つのみ（例えば「スパイク」のみ）であって、属性の指定が不要な形態の場合は、表示制御部２５１は、マージボタン３００の押下時に、推定完了マーク１８２が付与された複数のアノテーション（複数の測定ファイルに跨る複数のアノテーション）と１対１に対応する複数の短冊波形を比較して、波形形状が同じまたは近い形状の短冊波形ごとにグループ分けしてもよい。また、例えば解析時に、１つの測定ファイルの１つのアノテーションに対する信号源の推定が行われるたびに、解析部２５２は、それまでに信号源の推定が完了した複数のアノテーション（複数の測定ファイルに跨る複数のアノテーション）の各々に対応する短冊波形同士を比較して自動的にグルーピングしていき、該１つのアノテーションに対して推定完了マーク１８２とともにグループを識別するためのグループ番号を付与する形態であってもよい。そして、例えば表示制御部２５１は、マージボタン３００の押下と、何れかのグループ番号を指定する操作とを受け付けた場合、推定完了マーク１８２が付与された複数のアノテーション（複数の測定ファイルに跨る複数のアノテーション）のうち、指定されたグループ番号が示すグループに属する複数のアノテーションと１対１に対応する複数の短冊波形を並列に表示することもできる。
【０１３６】
また、さらに別の態様として、予め記憶装置（収録／解析情報保存部２５４等）に格納されている波形（例えばてんかんの特徴的な波形など）と、推定完了マーク１８２が付与された複数のアノテーション（複数の測定ファイルに跨る複数のアノテーション）と１対１に対応する複数の短冊波形の各々とを比較してグループ分けしてもよい。
【０１３７】
（第３の実施形態の変形例１）
例えば解析画面２０２の時間軸１２２上には、何れか１つの測定ファイルに対応する範囲情報９００のみが表示され、解析者の操作に応じて、時間軸１２２上の範囲情報９００が測定ファイル単位で切り替わる形態であってもよい。図２６は、解析画面２０２の一例を示す図である。図２６の例では、時間軸１２２上に、第１の測定ファイルの収録期間を表す範囲情報９００ａのみが表示されている。情報処理装置５０（表示制御部２５１）は、解析者による範囲情報９００を切り替えるための操作を受け付けた場合、その受け付けた操作に応じて、時間軸１２２上の範囲情報９００を測定ファイル単位で切り替え、切り替え後の測定ファイルに対応させて領域２０２Ａおよび領域２０２Ｂの表示を切り替える。
【０１３８】
（第３の実施形態の変形例２）
上述の第３の実施形態では、タイムゾーン１２０ｂの位置は、異なる範囲情報９００間を跨がないように設定される。例えばタイムゾーン１２０ｂが図２５に示す範囲情報９００ａの終点に位置している状態で、タイムゾーン１２０ｂの位置を１段階だけ先に送る操作を受け付けた場合、情報処理装置５０（表示制御部２５１）は、タイムゾーン１２０ｂが範囲情報９００ａと範囲情報９００ｂとを跨がずに次の範囲情報９００ｂの始点に位置するように、タイムゾーン１２０ｂの表示を切り替えるといった具合である。
【０１３９】
ただし、これに限らず、本変形例では、タイムゾーン１２０ｂが異なる範囲情報９００間を跨ぐように配置されることも許容される。この場合、図２７の（Ａ）に示すように、タイムゾーン１２０ｂに対応する信号波形は、生体信号が存在しない空白領域Ｐ１（測定間の隙間に相当）が発生する。例えば異なる測定ファイル間の領域であることを視認し易くするため、図２７の（Ｂ）に示すように、情報処理装置５０（表示制御部２５１）は、空白領域Ｐ１の背景を視認し易い表示形態Ｐ２に変更してもよい。ここでは、表示形態Ｐ２の一例として斜線の表示形態を示しているが、視認し易い表示形態であればよい。例えば、目立つ色に変更したり、斜線以外の模様に変更したりしてもよい。
【０１４０】
また、例えばタイムゾーン１２０ｂが異なる範囲情報９００間を跨ぐように配置され、かつ、測定間の時間間隔が短い場合は、一方の測定ファイルに対応する信号波形と、他方の測定ファイルに対応する信号波形との隙間が殆ど無いことが想定される。このような場合、例えば図２７の（Ｃ）に示すように、情報処理装置５０（表示制御部２５１）は、一方の測定ファイルに対応する信号波形と、他方の測定ファイルに対応する信号波形との間に、つなぎ目を表すラインＰ３（アノテーションラインとは異なるライン）を表示する形態であってもよい。
【０１４１】
さらに、例えば図２７の（Ｄ）に示すように、一方の測定ファイルに対応する信号波形と、他方の測定ファイルに対応する信号波形とを色や濃度などを変えるなどして異なる表示としてもよいし、例えば図２７の（Ｅ）に示すように、何れかの測定ファイルに対応する信号波形の背景の色を変更する形態であってもよい。
【０１４２】
（第３の実施形態の変形例３）
図２８に示すように、第３の実施形態の情報処理装置５０は、複数の測定ファイルごとに、解析結果（解析情報）を示す解析ファイルを紐付けて管理（保存）する。ここで、解析者は１人とは限らず、複数の解析者の各々が解析を行う場合も想定される。この場合、複数の解析者ごとに異なる解析ファイルが生成され、測定ファイルに紐付けられる。また、この例では、解析が終了するたびに、そのときの解析結果を示す解析ファイルが新たに測定ファイルに紐付けられていく。つまり、情報処理装置５０は、１回の解析のたびに、解析終了コマンドの入力を受け付けると、そのときの解析結果を示す解析ファイルを新たに測定ファイルに紐付けて保存する。例えば解析者が、解析画面２０２上の「保存」または「終了」を示すボタンを押下することを契機として、解析終了コマンドが入力される形態であってもよい。
【０１４３】
ここで、全てのファイルのアノテーションを解析画面２０２のアノテーションリスト１８０に表示することとすると、現在ログインして解析を行っている解析者には、自身が解析を行っていないアノテーションも提示されることになり、全てのアノテーションの中から、自身が解析したアノテーションを探し出す必要があるために負担が大きい。
【０１４４】
そこで、本変形例においては、情報処理装置５０は、各解析ファイルに対して、解析者と更新日（解析ファイルの作成日）と被検者ＩＤとを紐付けて管理する。そして、情報処理装置５０（表示制御部２５１）は、図４の開始画面２０４で「解析」ボタン２０４−２の押下を受け付けた場合、図２８のようなファイルリストに含まれる解析ファイルの中から、ログイン中の解析者に対応する解析ファイルを抽出し、複数の測定ファイルごとに該抽出した解析ファイルが紐付けられた選択項目を、表示装置２８の選択画面に表示する。例えばログイン中の解析者が解析者「Ａ」である場合、図２８のファイルリストに含まれる解析ファイルの中から、解析者「Ａ」に対応する解析ファイルが図２９に示すように紐付けて抽出され、抽出された解析ファイルを選択画面に階層表示するなどし、所定のファイルを選択により受け付けるといった具合である。なお、抽出した解析ファイルが紐付けられていない測定ファイルに関しては、測定ファイルのみが受け付けられることになる。
【０１４５】
情報処理装置５０は、この選択画面から、例えば何れかの測定ファイルの選択を受け付けた場合、その選択された測定ファイルと、該測定ファイルに紐付く被検者ＩＤと同一の被検者ＩＤが紐付けられた他の１以上の解析ファイルと、を含む一連の測定ファイルを反映させた解析画面２０２を表示する。ここでは、この解析画面２０２におけるアノテーションリスト１８０の表示に際して、情報処理装置５０（表示制御部２５１）は、一連の測定ファイルごとに、該測定ファイルに紐付く解析ファイルを特定し、特定した解析ファイルに対応するアノテーションをアノテーションリスト１８０に表示する。また、１つの測定ファイルに対して、同じ解析者の解析ファイルが複数紐付けられている場合は、最新の更新日の解析ファイルのみを特定し、その特定した解析ファイルに対応するアノテーションをアノテーションリスト１８０に表示する。また、１つの測定ファイルに対して解析ファイルが紐付けられていない場合は、その測定ファイルに含まれるアノテーションをアノテーションリスト１８０に表示する。
【０１４６】
また、例えば選択画面において、表示対象としたい測定ファイルを、解析者が全て選択する形態であってもよい。例えば選択画面において、解析者「Ａ」が測定ファイル２を選択した場合、情報処理装置５０（表示制御部２５１）は、測定ファイル２のみを反映させた解析画面２０２を表示する形態であってもよい。ここでは、この解析画面２０２におけるアノテーションリスト１８０の表示に際して、情報処理装置５０（表示制御部２５１）は、測定ファイル２に紐付く２つの解析ファイル２，２−１のうち、最新の更新日の解析ファイル２−１に対応するアノテーションをアノテーションリスト１８０に表示するといった具合である。
【０１４７】
以上より、解析画面２０２のアノテーションリスト１８０には、ログイン中の解析者に対応するアノテーションのみが適切に表示されることになるので、解析者の利便性が向上する。
【０１４８】
なお、ログインとは、情報処理装置５０を使用する権限を有することを意味し、情報処理装置５０は、ユーザ（解析者）のログインの可否を判断する機能を有している。例えば情報処理装置５０の起動時には、ログインするための情報（例えばＩＤとパスワードとの組み合わせなどからなるログイン情報）の入力を促すログイン画面が表示され、解析者はログイン画面に対して、自身が所持するログイン情報の入力を行う。情報処理装置５０は、使用権限を有するユーザごとに、予め設定したログイン情報を紐付けて登録しておき、ログイン画面から入力されたログイン情報が、登録済みのログイン情報と一致する場合、ログイン情報の入力を行ったユーザ（解析者）のログインを許可し、一致しない場合はログインを許可しない。
【０１４９】
（第４の実施形態）
次に、図３０および図３１を用いて第４の実施形態を説明する。第４の実施形態では、測定収録時においてアノテーションを付した位置の波形の一覧を短冊波形として並列表示し、測定収録段階において修正等の処理を施す形態について示す。
【０１５０】
図３０は、第４の実施形態による測定収録段階での情報表示処理の一例を示すフローチャートである。図３０には、図１０に示すステップＳ１７の続きの処理を示している。
【０１５１】
本例では、図９に示す「Ｅｘｉｔ  Ｍｅａｓｕｒｅｍｅｎｔ」ボタン１７９の押下により、情報処理装置５０（制御部２５０）は、後述する測定収録結果画面を表示する（ステップＳ６０）。
【０１５２】
測定者は測定収録結果画面を確認し、収録結果の編集操作や収録結果の出力操作を行うことができる。ここで、情報処理装置５０（制御部２５０）は、アノテーション削除、画面の出力、または収録結果表示の終了の内の、何れの要求がなされたかを判定し（ステップＳ６１、ステップＳ６２、ステップＳ６５）、判定結果に応じて処理を実行する。
【０１５３】
たとえば、後述する収録波形に付与されたアノテーションについて削除の操作がなされたとする。この場合、情報処理装置５０（制御部２５０）は、アノテーション削除が要求されたと判定し（ステップＳ６１でＹＥＳ、ステップＳ６２でＹＥＳ）、測定収録結果画面から対応する波形を削除するとともに、測定ファイルの対応するアノテーションの情報を削除または非表示にする（ステップＳ６３）。そして、ステップＳ６１に戻り、情報処理装置５０（制御部２５０）は、続いて受け付ける操作に応じて処理を実行する。
【０１５４】
また、情報処理装置５０（制御部２５０）は、測定収録結果画面において出力ボタン５０２（例えば図３１参照）の押下を受け付けた場合（ステップＳ６１でＹＥＳ、ステップＳ６２でＮＯ）、測定収録結果画面で表示した情報を、紙、電子媒体、または出力端末などに出力する（ステップＳ６４）。そして、ステップＳ６１に戻り、情報処理装置５０（制御部２５０）は、続いて受け付ける操作に応じて処理を実行する。
【０１５５】
また、測定収録結果画面で、ウィンドウを閉じるボタン５０３（例えば図３１参照）の押下を受け付けた場合（ステップＳ６１でＮＯ、ステップＳ６５でＹＥＳ）、測定収録結果画面を閉じ、本フローを終了する。
【０１５６】
（第４の実施形態における測定収録結果画面の例：短冊波形全数一覧）
図３１は、図３０のステップＳ６０で表示する測定収録結果画面の一例である。測定収録結果画面５００は、収録日５１１、収録時間（「測定時間」に相当）５１２、スパイク数５１３、アノテーションが指定された位置の波形一覧５０１、検査名５１４、アノテーションのコメント欄５０４などを一覧で表示する画面である。これらの情報は図５〜図９に示す測定収録画面２０１の表示情報または測定収録時に蓄積した情報である。情報処理装置５０（制御部２５０）は、これらの情報を収録／解析情報保存部２５４（図３参照）を介して読み出して測定収録結果画面５００において表示する。
【０１５７】
スパイクの数５１３に表示される数値は、測定収録後に「Ｅｘｉｔ  Ｍｅａｓｕｒｅｍｅｎｔ」ボタン１７９を押下したときのカウンタボックス１１８（例えば図６参照）の累積数である。
【０１５８】
波形一覧５０１は、測定収録済みの生体データのうちアノテーションが付与された箇所を中心として前後２秒間の波形を短冊波形とし、複数の短冊波形を並列表示したものである。ここでは、各短冊波形についての説明を、破線枠５０７を付した短冊波形と、これに隣り合う短冊波形とに付した符号で説明する。波形一覧５０１に並列表示されている他の短冊波形については、強調表示するためのマークなどは破線枠５０７の短冊波形と同様に含まれているが、表示状態を分かり易くするために符号については省略している。
【０１５９】
図３１には、短冊波形の単位が破線枠５０７で示すように全て脳波信号の信号波形であった場合の表示状態を示している。並列する短冊波形の各段において隣り合う短冊波形間には、それぞれの区切りが分かるように間隔５０８を設けている。
【０１６０】
波形一覧５０１全体には、スパイクの数５１３に示す累積数と同じ数（この例では２０個）の短冊波形が表示されており、各短冊波形は収録時間順に並べられている。この例では、上段の表示領域５０１ａの左から右、続いて下段の表示領域５０１ｂの左から右へ、収録時間順に並べられている。各短冊波形は、波形の他に、マーク（マーク１０３ａ−１、マーク１０３ａ−２、・・・、マーク１０３ａ−１１、・・・）、属性アイコン（属性アイコン１０６−１、属性アイコン１０６−２、・・・、属性アイコン１０６−１１、・・・）、ライン（ライン１１７−１、ライン１１７−２、・・・、ライン１１７−１１、・・・）、時間軸（時間軸１１２Ａ、時間軸１１２Ｂ、・・・、時間軸１１２Ｋ、・・・）、指定結果を示すアノテーション（アノテーション１１０ａ−１、アノテーション１１０ａ−２、・・・、アノテーション１１０ａ−１１、・・・）などを一組にして表示される。この他に、ここでは、警告対象の短冊波形を知らせる警告表示８００も表示される。この例では、上段の表示領域５０１ａの左から２番目の短冊波形に対して警告表示８００が表示されている。
【０１６１】
コメント欄５０４には、図６に示す入力ボックス１１５ｂや図７に示すｍｅｍｏ欄１１６に入力されたテキスト情報が表示される。表示される波形のアノテーション番号と紐付けてテキストと共に表示されるので、測定者は波形と照合してアノテーションの妥当性などを把握・確認することができる。
【０１６２】
測定者は、各短冊波形が次の解析に使用可能な波形であるかを確認することができる。たとえば、上段の表示領域５０１ａの左から２番目の短冊波形について、警告表示８００とコメント欄５０４とから、解析時に使用することが難しいと測定者が判断した場合は、当該短冊波形に該当するアノテーションを削除することが可能である。アノテーションを削除した場合、測定ファイルの収録情報からも当該波形に対応するアノテーションの情報が削除される。
【０１６３】
本例によれば、測定終了後に測定結果の妥当性を確認することができるので、この段階で好ましくない情報の削除が可能であり、また、追加の測定が必要であるかの判断が可能である。これにより、解析前に情報の１次選別が可能となり、解析時において症例原因となる対象箇所の特定時間を短縮することができ、これによっても、対象箇所特定の確度をあげることができる。
【０１６４】
（第４の実施形態における測定収録結果画面の変形例１：スクロールして短冊波形を閲覧）
図３２は、測定収録結果画面５００の変形例１である。図３１では表示される短冊波形の数は、スパイクの数５１３の「２０」と同じとしたが、本例では、図３２に示すように、表示領域５０１の一列に表示できるだけの数とする。そして、各短冊波形の下にそれぞれのコメント欄５０４（コメント欄５０４−１、コメント欄５０４−２、・・・、コメント欄５０４−１０）を表示し、各短冊波形に対応するコメントを確認できるようにする。これにより一覧性を向上している。表示されていない短冊波形とコメントについては、コメント欄５０４の下に設けたスクロールバー５０５を左右に操作する。測定収録結果画面５００の初期表示時は、収録時間順において最初のアノテーションを有する短冊波形を画面５００の一番左に表示する。スクロールバー５０５を操作すると、短冊波形とコメント欄とが共にその操作方向に移動し、スクロールバー５０５が画面５００の右端に達すると、収録時間順において最後のアノテーションを有する短冊波形が画面５００の一番右に現れる。
【０１６５】
（第４の実施形態における測定収録結果画面の変形例２：指定マーク周辺のチャネルのみを表示）
図３３は、測定収録結果画面５００の変形例である。本例は、図３１と同様に、表示される短冊波形の数はスパイクの数５１３の「２０」と同じであるが、測定時に指定されたマーク（マーク１０３ａ−１、マーク１０３ａ−２、・・・）の表示範囲に該当する波形のみが表示されている点で図３１と相違する。また、各短冊波形の横には、各信号波形についての基準電極と探査電極とを示す情報（チャネル）５０６を表示させている。これは、各マーク（マーク１０３ａ−１、マーク１０３ａ−２、・・・）のチャネル範囲内の位置が全ての短冊波形で同じとは限らないためである。図３３に示す例では、２０個の各短冊波形を、３段にして全て表示させている。この例では、１段目の左から右、続いて２段目の左から右、最後に３段目の左から右に、収録時間順に、並列表示させている。
【０１６６】
本例によれば、短冊波形毎に注目箇所の波形を大きく表示することができるので、特に振幅方向の波形の形状の視認性が良くなる。
【０１６７】
なお、図３２に示したようにスクロールバー５０５によって短冊波形を移動させる形態に変形してもよい。この場合、より短冊波形の表示サイズを大きくすることができ、視認性が向上する。
【０１６８】
（第４の実施形態における測定収録結果画面の変形例３：ＭＥＧの波形のみを表示）
第４の実施形態や、第４の実施形態の変形例１〜変形例２では、測定者が脳波信号の信号波形において波形の乱れや振幅の特異点を指定した場合の例であるため、脳波信号の短冊波形についての表示例を示している。しかし、脳磁信号の信号波形に注目して指定する場合も考え得る。従って、頭部右側の脳磁信号の信号波形や頭部左側の脳磁信号の信号波形の表示に変形してもよいし、それぞれを切り替え可能に変形してもよい。
【０１６９】
（第４の実施形態における測定収録結果画面の変形例４：ＭＥＧとＥＥＧの波形を表示）
図３４は、測定収録結果画面５００の変形例４である。図３４の測定収録結果画面５００には、ＭＥＧとＥＥＧの波形を含む短冊波形を並列表示させたものを示している。各信号波形は、画面５００の上下方向に振れるため、１つの信号波形は画面５００の縦幅を占有する。これは、図５に示す測定収録画面２０１などからも明らかである。このため、変形例４では、図３１に示す収録時間５１２、スパイクの数５１３を画面５００の右側の領域に配置することにより、画面５００の左側の短冊波形を表示する縦の領域を広く確保する。各短冊波形は、図３４に破線枠５０７に示すように、上段に示す右脳の脳磁信号の波形と、中段に示す左脳の脳磁信号の波形と、下段に示す脳波信号の波形とにより構成する。そして、画面５００の左側の表示領域において、表示領域６０１に、各短冊波形の右脳の脳磁信号の信号波形を並列表示し、表示領域６０２に、各短冊波形の左脳の脳磁信号の信号波形を並列表示し、表示領域６０３に、各短冊波形の脳波信号の信号波形を並列表示する。すなわち、測定収録結果画面５００の左側に短冊波形を並列表示し、右側に短冊波形の結果を表示する。ここで、各表示領域６０１、６０２、６０３に表示する信号波形の種類は一例であり、適宜入れ替えて表示してもよい。例えば、右脳の信号波形と左脳の信号波形の表示先を入れ替えて、右脳の信号波形を表示領域６０２に表示し、左脳の信号波形を表示領域６０１に表示してもよい。
【０１７０】
なお、スパイク数と同じ数の短冊波形を１画面で表示させると、スパイク数によっては波形の形状の視認性が悪くなる。このため、この例では、スクロールバー５０５を設けて、スクロールバー５０５の左右への操作により全体の短冊波形の内の一部を表示させる形態としている。
【０１７１】
第４の実施形態の変形例１〜３によれば、測定者が着目する波形に応じて、測定収録結果画面５００を脳波信号の信号波形のみにまたは脳磁信号の信号波形のみに切り替える必要があるが、本変形例によれば、どの波形に着目するかを考慮する必要がないため、操作性が向上する。また、脳波信号と脳磁信号の一方がマーク（マーク１０３ａ−１、マーク１０３ａ−２、・・・）で指定されている場合でも、指定されていない他方の波形を測定収録結果画面５００上で同時に確認することができるので、解析で使用可能な波形であるかを両方の波形から判断することができる。
【０１７２】
（第４の実施形態における測定収録結果画面の変形例５：ＥＥＧ＋ＭＲＩ画像）
図３５は、測定収録結果画面５００の変形例５である。図３５に示す測定収録結果画面５００は、画面５００の右側に断層画像の表示ウィンドウ１９０が表示されている点で図３２と相違する。
【０１７３】
変形例５において、情報処理装置５０（制御部２５０）は、図９に示す「Ｅｘｉｔ  Ｍｅａｓｕｒｅｍｅｎｔ」ボタン１７９の押下を受け付けた場合（図３０のステップＳ１７でＹＥＳ）、解析部２５２において信号源推定の演算を行う。そして推定結果１９０ａを表示ウィンドウ１９０上に重畳表示する。ここで、表示ウィンドウ１９０には、全ての短冊波形に対応する信号源推定結果が表示されている。また、ある短冊波形をマウスなどで指定すると、その短冊波形が他の短冊波形と区別して表示（ハイライト表示のような強調した表示）されるとともに、表示ウィンドウ１９０上の対応する推定結果１９０ａが強調表示される。
【０１７４】
本例によれば、指定箇所を含む波形の形状だけでなく信号源の位置も考慮し、指定箇所が解析で使用できるかを判断することができる。
【０１７５】
（第４の実施形態における測定収録結果画面の変形例６：全測定ファイルのサマリ一覧）
図２３では、複数回（本例では３回）にわたって断続的に測定が実施された場合に、１回目の測定に対応する測定ファイルである「第１の測定ファイル」、２回目の測定に対応する測定ファイルである「第２の測定ファイル」、３回目の測定に対応する測定ファイルである「第３の測定ファイル」をそれぞれ保存するフローを示した。この処理で生成された「第１の測定ファイル」、「第２の測定ファイル」、「第３の測定ファイル」のそれぞれに対応する測定収録結果画面を表示し、測定収録結果画面を通じて得た情報を収録／解析情報保存部２５４により保存先に保存させるように変形してもよい。
【０１７６】
さらに、「第１の測定ファイル」乃至「第３の測定ファイル」をまとめた測定ファイルの測定収録結果画面を表示し、測定収録結果画面を通じて得た情報を収録／解析情報保存部２５４により保存先に保存させるように変形してもよい。
【０１７７】
図３６は、測定収録結果画面５００の変形例６である。図３６に示す測定収録結果画面５００は、合計収録時間５１５を有し、短冊波形が測定ファイルの順に表示されている点で、これまでの例と相違する。
【０１７８】
図３６には、「第１の測定ファイル」の短冊波形、「第２の測定ファイル」の短冊波形、「第３の測定ファイル」の短冊波形を、この順に表示させた例を示している。図３６において、「第１の測定ファイル」の短冊波形、「第２の測定ファイル」の短冊波形、「第３の測定ファイル」の短冊波形は、それぞれ、矩形枠１３１、矩形枠１３２、矩形枠１３３に示す各短冊波形が該当する。図３６において網掛けで表したように、測定ファイルごとに背景色などを異ならせることで各測定ファイルに対応する短冊波形を区別することができる。なお、測定ファイルごとの区別が不要であれば、背景色を異ならせなくてもよい。また、短冊波形の数が多くなる場合は、図３２などに示すスクロールバー５０５を使用して画面５００に１度に表示させる数を制限してもよい。
【０１７９】
本例によれば、解析に必要な同一被験者のアノテーションの数を測定ファイル全体として確認できるので、アノテーションの数の不足による再測定の可否を容易に確認できる。
【０１８０】
（第４の実施形態における測定収録結果画面の変形例７：アノテーションマーク＋ラインの表示）
図３７は、短冊波形上に、マーク１０３ａ−１（図３１参照）や属性アイコン１０６−１（図３１参照）を付与しない場合の表示の形態を示す。本例では、強調表示の一例として、測定収録時に指定された箇所にライン１１７−７を表示し、時間軸１１２付近に指定結果を示すアノテーション１１０ａ−１を表示する。マーク１０３ａ−１や属性アイコン１０６−１を非表示としたことで、その背景の波形の視認性が向上する。なお、本例の波形は脳波の信号波形であるが、脳磁の信号波形にも適用可能である。
【０１８１】
（第４の実施形態における測定収録結果画面の変形例８：ＭＥＧを０基準で重ね合わせた表示）
図３８は、脳磁信号の波形の表示方法の変形例を示す。上述した実施形態では、チャネル５０６に表示する各センサ番号（チャネル番号）の隣に、各信号波形を表示させていた。本例では、表示させる脳磁信号の波形を全て０基準で重ね合わせて表示させている。これにより、相対的に振幅が大きい波形の視認性を向上させることができる。また、脳波信号と脳磁信号の各波形を画面５００において縦方向に並置させるレイアウトのとき、脳磁信号の波形の縦方向の幅を小さくすることができる。そのため、脳磁と脳波の縦方向の波形表示を大きくすることができ、視認性が向上する。なお、本例は、解析画面２０２にも適用可能である。
【０１８２】
第４の実施形態は、他の実施形態にも適用可能である。また、他の実施形態において説明されており、第４の実施形態において説明されなかった構成を第４の実施形態へ適用することも可能である。
【０１８３】
（第５の実施形態：サマリ画面から解析画面へ切替）
図３９は、第４の実施形態に示す測定収録結果画面５００から、図１４に示す解析画面２０２へ切り替わる動作の一例を示すフローチャートである。情報処理装置５０（制御部２５０）は、測定ファイルのファイルリスト画面から測定結果ファイルの選択を受け付けると（ステップＳ６６）、測定収録結果画面５００を表示する（ステップＳ６７）。
【０１８４】
続いて、情報処理装置５０（制御部２５０）は、測定収録結果画面５００の表示中に、測定者が拡大表示したい短冊波形をマウスなどで指定（たとえばダブルクリック）し、その操作を受け付けると（ステップＳ６８でＹＥＳ）、図１４に示す解析画面２０２を測定収録結果画面５００とは別のウィンドウで表示する（ステップＳ６９）。
【０１８５】
図１４に示す拡大表示領域２００には、測定収録結果画面５００において測定者により指定された短冊波形の拡大波形が表示される。また、拡大表示領域２００の左の表示領域には、当該短冊波形を含む前後の時間の波形が表示される。このとき、当該短冊波形に対応する時間幅の波形は、表示領域の中央に表示されることが好ましい。
【０１８６】
続いて、情報処理装置５０（制御部２５０）は、測定収録結果画面５００の表示を終了するかを判定する（ステップＳ７０）。他に拡大したい短冊波形があれば（ステップＳ７０でＮＯ）、測定収録結果画面５００から他の短冊波形を指定し（ステップＳ６８）、解析画面２０２の表示を、他の短冊波形に対応する波形および拡大波形に更新する（ステップＳ６９）。
【０１８７】
測定収録結果画面５００で、ウィンドウを閉じるボタン５０３が押下されると（ステップＳ６８でＮＯ、ステップＳ７０でＹＥＳ）、測定収録結果画面５００が閉じ、本フローは終了する。
【０１８８】
本例によれば、短冊波形を拡大して確認することができるので、解析画面２０２で使用できる波形であるかをより確度よく判断することができる。
【０１８９】
（第６の実施形態）
上述した各実施形態において、表示ウィンドウ１９０に表示する画像を断層画像を一例にして説明したが、断層画像に限らなくてもよい。たとえば、擬似的あるいは模式的な画像やモデル、またはアニメーション画像であってもよい。また、２次元の画像に限られず、たとえば図４０に示す３次元の立体画像に推定結果１９０ａを重畳表示させてもよい。この場合、マウスなどの入力デバイスにより立体画像を回転させれば、測定者または解析者が必要なアングルから信号源を確認することが可能となる。
【０１９０】
なお、断層画像、擬似的あるいは模式的な画像やモデル、アニメーション画像、立体画像を総称して、「生体画像」と呼ぶ。
【０１９１】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、上述の実施形態に示される全構成要素から幾つかの構成要素を削除してもよい。さらに、異なる実施形態および変形例にわたる構成要素を適宜組み合わせてもよい。
【０１９２】
また、上述した各実施形態の生体信号計測システム１で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）、ＵＳＢ（Universal  Serial  Bus）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【符号の説明】
【０１９３】
１      生体信号計測システム
３      測定装置
２１    ＣＰＵ
２２    ＲＡＭ
２３    ＲＯＭ
２４    補助記憶装置
２５    入出力インタフェース
２７    バス
２８    表示装置
４０    サーバ
５０    情報処理装置
２５０  制御部
２５１  表示制御部
２５２  解析部
２５３  センサ情報取得部
２５４  収録／解析情報保存部
２５５  操作情報入力部
２５６  印刷データ出力部
４００  画面
５００  測定収録結果画面
【先行技術文献】
【特許文献】
【０１９４】
【特許文献１】特開２０００−５１３３号公報
【図１】
2018153614.tif 000003
【図２】
2018153614.tif 000004
【図３】
2018153614.tif 000005
【図４】
2018153614.tif 000006
【図５】
2018153614.tif 000007
【図６】
2018153614.tif 000008
【図７】
2018153614.tif 000009
【図８】
2018153614.tif 000010
【図９】
2018153614.tif 000011
【図１０】
2018153614.tif 000012
【図１１】
2018153614.tif 000013
【図１２】
2018153614.tif 000014
【図１３】
2018153614.tif 000015
【図１４】
2018153614.tif 000016
【図１５】
2018153614.tif 000017
【図１６】
2018153614.tif 000018
【図１７】
2018153614.tif 000019
【図１８】
2018153614.tif 000020
【図１９】
2018153614.tif 000021
【図２０】
2018153614.tif 000022
【図２１】
2018153614.tif 000023
【図２２】
2018153614.tif 000024
【図２３】
2018153614.tif 000025
【図２４】
2018153614.tif 000026
【図２５】
2018153614.tif 000027
【図２６】
2018153614.tif 000028
【図２７】
2018153614.tif 000029
【図２８】
2018153614.tif 000030
【図２９】
2018153614.tif 000031
【図３０】
2018153614.tif 000032
【図３１】
2018153614.tif 000033
【図３２】
2018153614.tif 000034
【図３３】
2018153614.tif 000035
【図３４】
2018153614.tif 000036
【図３５】
2018153614.tif 000037
【図３６】
2018153614.tif 000038
【図３７】
2018153614.tif 000039
【図３８】
2018153614.tif 000040
【図３９】
2018153614.tif 000041
【図４０】
2018153614.tif 000042